(57)【特許請求の範囲】
【請求項１】
施設の所定の属性を示す施設情報を含む地図データが記憶された地図データ記憶手段を備えた車載用ナビゲーション装置であって、
前記施設情報は、前記属性の１つとしての施設の営業時間を示す営業時間情報を含む情報とされ、
前記地図データ記憶手段に記憶された前記営業時間情報に基づいて、所定の時刻が営業開始まで所定時間以内の営業開始前の時刻に含まれる営業開始間際の施設をユーザに提示する施設提示手段と、
前記地図データ記憶手段に記憶された前記施設情報に基づいて、前記属性に関する設定された検索条件を満足する施設を検索する施設検索手段と、
この施設検索手段によって検索された施設への到着予想時刻を算出する到着予想時刻算出手段と、
前記施設検索手段によって検索された施設の中からユーザによって選択された施設を目的地に設定する目的地設定手段と、
この目的地設定手段によって設定された目的地までの自車両の経路誘導を行う経路誘導手段と、
前記到着予想時刻算出手段の算出結果に基づいて、前記目的地設定手段によって設定された前記目的地への到着予想時刻を、前記経路誘導手段による前記経路誘導の際に表示部に表示する目的地到着予想時刻表示手段と
を備え、
前記施設提示手段は、
前記地図データ記憶手段に記憶された前記目的地設定手段によって設定された前記目的地についての前記営業時間情報に基づいて、前記到着予想時刻算出手段によって算出された前記目的地への前記到着予想時刻が、前記目的地の営業開始まで所定時間以内の営業開始前の時刻となるか否かの判定を行う第１の到着予想時刻判定手段と、
前記目的地到着予想時刻表示手段によって表示される前記目的地への到着予想時刻の表示態様を、前記第１の到着予想時刻判定手段の判定結果が肯定的となる場合と否定的となる場合とで互いに異ならせるように前記目的地到着予想時刻表示手段を制御する第１の目的地到着予想時刻表示態様制御手段と
を有するとともに、前記所定の時刻を前記到着予想時刻とした前記営業開始間際の施設のユーザへの提示を、前記目的地到着予想時刻表示手段による前記第１の目的地到着予想時刻表示態様制御手段の前記制御にしたがった表示態様での前記第１の到着予想時刻判定手段の判定結果が肯定的となる前記目的地への到着予想時刻の表示によって行うこと
を特徴とする車載用ナビゲーション装置。
【請求項２】
前記地図データ記憶手段に記憶された前記地図データに基づいて、所定領域の地図を表示部に表示する地図表示手段と、
前記地図データ記憶手段に記憶された前記施設情報に基づいて、前記地図表示手段によって表示される前記地図上に、前記所定領域内に存在する施設を示すアイコンを重畳表示する施設アイコン表示手段と、
現在の時刻を取得する現在時刻取得手段と
を備え、
前記施設提示手段は、
前記地図データ記憶手段に記憶された前記所定領域内に存在する施設についての前記営業時間情報および前記現在時刻取得手段によって取得された前記現在の時刻に基づいて、前記所定領域内に存在する施設の中から当該施設のうちの前記現在の時刻が営業開始まで所定時間以内の営業開始前の時刻に含まれる営業開始間際の施設である第１の地図領域内該当施設を抽出する第１の地図領域内該当施設抽出手段と、
この第１の地図領域内該当施設抽出手段によって抽出された前記第１の地図領域内該当施設についての前記アイコンの表示態様を、前記第１の地図領域内該当施設以外の前記所定領域内に存在する施設についての前記アイコンの表示態様と異ならせるように前記施設アイコン表示手段を制御する第１のアイコン表示態様制御手段と
を有するとともに、前記所定の時刻を前記現在の時刻として抽出された前記第１の地図領域内該当施設のユーザへの提示を、前記施設アイコン表示手段による前記第１のアイコン表示態様制御手段の前記制御にしたがった表示態様での前記第１の地図領域内該当施設を示す前記アイコンの表示によって行うこと
を特徴とする請求項１に記載の車載用ナビゲーション装置。
【請求項３】
前記地図データ記憶手段に記憶された前記施設情報に基づいて、前記属性に関する設定された検索条件を満足する施設を検索する施設検索手段と、
この施設検索手段によって検索された施設を示す施設検索結果を表示部に表示する施設検索結果表示手段と、
現在の時刻を取得する現在時刻取得手段と
を備え、
前記施設提示手段は、
前記地図データ記憶手段に記憶された前記施設検索手段によって検索された施設についての前記営業時間情報および前記現在時刻取得手段によって取得された前記現在の時刻に基づいて、前記施設検索手段によって検索された施設の中から当該施設のうちの前記現在の時刻が営業開始まで所定時間以内の営業開始前の時刻に含まれる営業開始間際の施設である第１の検索施設内現時該当施設を抽出する第１の検索施設内現時該当施設抽出手段と、
この第１の検索施設内現時該当施設抽出手段によって抽出された前記第１の検索施設内現時該当施設についての前記施設検索結果の表示態様を、前記第１の検索施設内現時該当施設以外の前記施設検索手段によって検索された施設についての前記施設検索結果の表示態様と異ならせるように前記施設検索結果表示手段を制御する第１の検索施設内現時該当施設表示態様制御手段と
を有するとともに、前記所定の時刻を前記現在の時刻として抽出された前記第１の検索施設内現時該当施設のユーザへの提示を、前記施設検索結果表示手段による前記第１の検索施設内現時該当施設表示態様制御手段の前記制御にしたがった表示態様での前記第１の検索施設内現時該当施設を示す前記施設検索結果の表示によって行うこと
を特徴とする請求項１または請求項２に記載の車載用ナビゲーション装置。
【請求項４】
前記地図データ記憶手段に記憶された前記施設情報に基づいて、前記属性に関する設定された検索条件を満足する施設を検索する施設検索手段と、
この施設検索手段によって検索された施設を示す施設検索結果を表示部に表示する施設検索結果表示手段と、
前記施設検索手段によって検索された施設への到着予想時刻を算出する到着予想時刻算出手段と
を備え、
前記施設提示手段は、
前記地図データ記憶手段に記憶された前記施設検索手段によって検索された施設についての前記営業時間情報および前記到着予想時刻算出手段によって算出された前記到着予想時刻に基づいて、前記施設検索手段によって検索された施設の中から当該施設のうちの前記到着予想時刻が営業開始まで所定時間以内の営業開始前の時刻に含まれる営業開始間際の施設である第１の検索施設内到着時該当施設を抽出する第１の検索施設内到着時該当施設抽出手段と、
この第１の検索施設内到着時該当施設抽出手段によって抽出された前記第１の検索施設内到着時該当施設についての前記施設検索結果の表示態様を、前記第１の検索施設内到着時該当施設以外の前記施設検索手段によって検索された施設についての前記施設検索結果の表示態様と異ならせるように前記施設検索結果表示手段を制御する第１の検索施設内到着時該当施設表示態様制御手段と
を有するとともに、前記所定の時刻を前記到着予想時刻として抽出された前記第１の検索施設内到着時該当施設のユーザへの提示を、前記施設検索結果表示手段による前記第１の検索施設内到着時該当施設表示態様制御手段の前記制御にしたがった表示態様での前記第１の検索施設内到着時該当施設を示す前記施設検索結果の表示によって行うこと
を特徴とする請求項１乃至請求項３のいずれか１項に記載の車載用ナビゲーション装置。
【請求項５】
自車位置を検出する自車位置検出手段と、
現在の時刻を取得する現在時刻取得手段と
を備え、
前記施設提示手段は、
前記地図データ記憶手段に記憶された前記自車位置検出手段によって検出された自車位置の周辺の所定領域内に存在する施設についての前記営業時間情報および前記現在時刻取得手段によって取得された前記現在の時刻に基づいて、前記自車位置の周辺の所定領域内に存在する施設の中から当該施設のうちの前記現在の時刻が営業開始まで所定時間以内の営業開始前の時刻に含まれる営業開始間際の施設である第１の自車周辺領域内該当施設を抽出する第１の自車周辺領域内該当施設抽出手段と、
前記自車位置検出手段によって検出された自車位置が、前記第１の自車周辺領域内該当施設抽出手段によって抽出された前記第１の自車周辺領域内該当施設の位置まで所定の距離以内の位置の場合に、当該第１の自車周辺領域内該当施設を画像および音声の少なくとも一方によってユーザに案内する第１の自車周辺領域内該当施設案内手段と
を有するとともに、前記所定の時刻を前記現在の時刻として抽出された前記第１の自車周辺領域内該当施設のユーザへの提示を、前記第１の自車周辺領域内該当施設案内手段による前記第１の自車周辺領域内該当施設の案内によって行うこと
を特徴とする請求項１乃至請求項４のいずれか１項に記載の車載用ナビゲーション装置。
【請求項６】
タイムサービスが実施される施設についてのタイムサービスに関する情報であって、少なくとも、タイムサービスの実施時間を示す情報であるタイムサービス情報が、前記タイムサービスが実施される施設についての前記施設情報と対応した状態で記憶されたタイムサービス情報記憶手段を備え、
前記施設提示手段は、
前記タイムサービス情報記憶手段に記憶された前記タイムサービス情報に基づいて、所定の時刻がタイムサービスの開始まで所定時間以内のタイムサービスの開始前の時刻に含まれるタイムサービスの開始間際の施設をユーザに提示するようにされており、
前記タイムサービス情報記憶手段に記憶された前記タイムサービス情報に基づいて、前記到着予想時刻算出手段によって算出された前記目的地への前記到着予想時刻が、前記目的地のタイムサービスの開始まで所定時間以内のタイムサービスの開始前の時刻となるか否かの判定を行う第２の到着予想時刻判定手段と、
前記目的地到着予想時刻表示手段によって表示される前記目的地への到着予想時刻の表示態様を、前記第２の到着予想時刻判定手段の判定結果が肯定的となる場合と否定的となる場合とで互いに異ならせるように前記目的地到着予想時刻表示手段を制御する第２の目的地到着予想時刻表示態様制御手段と
を有するとともに、前記所定の時刻を前記到着予想時刻とした前記タイムサービスの開始間際の施設のユーザへの提示を、前記目的地到着予想時刻表示手段による前記第２の目的地到着予想時刻表示態様制御手段の前記制御にしたがった表示態様での前記第２の到着予想時刻判定手段の判定結果が肯定的となる前記目的地への到着予想時刻の表示によって行うこと
を特徴とする請求項１乃至請求項５のいずれか１項に記載の車載用ナビゲーション装置。
【請求項７】
前記地図データ記憶手段に記憶された前記地図データに基づいて、所定領域の地図を表示部に表示する地図表示手段と、
前記地図データ記憶手段に記憶された前記施設情報に基づいて、前記地図表示手段によって表示される前記地図上に、前記所定領域内に存在する施設を示すアイコンを重畳表示する施設アイコン表示手段と、
現在の時刻を取得する現在時刻取得手段と
を備え、
前記施設提示手段は、
前記地図データ記憶手段に記憶された前記所定領域内に存在する施設についての前記施設情報、前記タイムサービス情報記憶手段に記憶された前記タイムサービス情報および前記現在時刻取得手段によって取得された前記現在の時刻に基づいて、前記所定領域内に存在する施設の中から当該施設のうちの前記現在の時刻がタイムサービスの開始まで所定時間以内のタイムサービスの開始前の時刻に含まれる前記タイムサービスの開始間際の施設である第２の地図領域内該当施設を抽出する第２の地図領域内該当施設抽出手段と、
この第２の地図領域内該当施設抽出手段によって抽出された前記第２の地図領域内該当施設についての前記アイコンの表示態様を、前記第２の地図領域内該当施設以外の前記所定領域内に存在する施設についての前記アイコンの表示態様と異ならせるように前記施設アイコン表示手段を制御する第２のアイコン表示態様制御手段と
を有するとともに、前記所定の時刻を前記現在の時刻として抽出した前記第２の地図領域内該当施設のユーザへの提示を、前記施設アイコン表示手段による前記第２のアイコン表示態様制御手段の前記制御にしたがった表示態様での前記第２の地図領域内該当施設を示す前記アイコンの表示によって行うこと
を特徴とする請求項６に記載の車載用ナビゲーション装置。
【請求項８】
前記地図データ記憶手段に記憶された前記施設情報に基づいて、前記属性に関する設定された検索条件を満足する施設を検索する施設検索手段と、
この施設検索手段によって検索された施設を示す施設検索結果を表示部に表示する施設  検索結果表示手段と、
現在の時刻を取得する現在時刻取得手段と
を備え、
前記施設提示手段は、
前記タイムサービス情報記憶手段に記憶された前記タイムサービス情報および前記現在時刻取得手段によって取得された前記現在の時刻に基づいて、前記施設検索手段によって検索された施設の中から当該施設のうちの前記現在の時刻がタイムサービスの開始まで所定時間以内のタイムサービスの開始前の時刻に含まれる前記タイムサービスの開始間際の施設である第２の検索施設内現時該当施設を抽出する第２の検索施設内現時該当施設抽出手段と、
この第２の検索施設内現時該当施設抽出手段によって抽出された前記第２の検索施設内現時該当施設についての前記施設検索結果の表示態様を、前記第２の検索施設内現時該当施設以外の前記施設検索手段によって検索された施設についての前記施設検索結果の表示態様と異ならせるように前記施設検索結果表示手段を制御する第２の検索施設内現時該当施設表示態様制御手段と
を有するとともに、前記所定の時刻を前記到着予想時刻として抽出された前記第２の検索施設内現時該当施設のユーザへの提示を、前記施設検索結果表示手段による前記第２の検索施設内現時該当施設表示態様制御手段の前記制御にしたがった表示態様での前記第２の検索施設内到着時該当施設を示す前記施設検索結果の表示によって行うこと
を特徴とする請求項６または請求項７に記載の車載用ナビゲーション装置。
【請求項９】
前記地図データ記憶手段に記憶された前記施設情報に基づいて、前記属性に関する設定された検索条件を満足する施設を検索する施設検索手段と、
この施設検索手段によって検索された施設を示す施設検索結果を表示部に表示する施設検索結果表示手段と、
前記施設検索手段によって検索された施設への到着予想時刻を算出する到着予想時刻算出手段と
を備え、
前記施設提示手段は、
前記タイムサービス情報記憶手段に記憶された前記タイムサービス情報および前記到着予想時刻算出手段によって算出された前記到着予想時刻に基づいて、前記施設検索手段によって検索された施設の中から当該施設のうちの前記到着予想時刻がタイムサービスの開始まで所定時間以内のタイムサービスの開始前の時刻に含まれるタイムサービスの開始間際の施設である第２の検索施設内到着時該当施設を抽出する第２の検索施設内到着時該当施設抽出手段と、
この第２の検索施設内到着時該当施設抽出手段によって抽出された前記第２の検索施設内到着時該当施設についての前記施設検索結果の表示態様を、前記第２の検索施設内到着時該当施設以外の前記施設検索手段によって検索された施設についての前記施設検索結果の表示態様と異ならせるように前記施設検索結果表示手段を制御する第２の検索施設内到着時該当施設表示態様制御手段と
を有するとともに、前記所定の時刻を前記到着予想時刻として抽出された前記第２の検索施設内到着時該当施設のユーザへの提示を、前記施設検索結果表示手段による前記第２の検索施設内到着時該当施設表示態様制御手段の前記制御にしたがった表示態様での前記第２の検索施設内到着時該当施設を示す前記施設検索結果の表示によって行うこと
を特徴とする請求項６乃至請求項８のいずれか１項に記載の車載用ナビゲーション装置。
【請求項１０】
自車位置を検出する自車位置検出手段と、
現在の時刻を取得する現在時刻取得手段と
を備え、
前記施設提示手段は、
前記タイムサービス情報記憶手段に記憶された前記タイムサービス情報および前記現在時刻取得手段によって取得された前記現在の時刻に基づいて、前記自車位置検出手段によって検出された前記自車位置の周辺の所定領域内に存在する施設の中から当該施設のうちの前記現在の時刻がタイムサービスの開始まで所定時間以内のタイムサービスの開始前の時刻に含まれるタイムサービスの開始間際の施設である第２の自車周辺領域内該当施設を抽出する第２の自車周辺領域内該当施設抽出手段と、
前記自車位置検出手段によって検出された自車位置が、前記第２の自車周辺領域内該当施設抽出手段によって抽出された前記第２の自車周辺領域内該当施設の位置まで所定の距離以内の位置の場合に、当該第２の自車周辺領域内該当施設を画像および音声の少なくとも一方によってユーザに案内する第２の自車周辺領域内該当施設案内手段と
を有するとともに、前記所定の時刻を前記現在の時刻として抽出された前記第２の自車周辺領域内該当施設のユーザへの提示を、前記第２の自車周辺領域内該当施設案内手段による前記第２の自社周辺領域内該当施設の案内によって行うこと
を特徴とする請求項６乃至請求項９のいずれか１項に記載の車載用ナビゲーション装置。
【請求項１１】
前記施設提示手段は、
前記営業開始間際の施設を、
前記所定の時刻が営業終了まで所定時間以内の営業終了前の時刻に含まれる営業終了間際の施設、
前記所定の時刻が営業時間内に含まれ前記営業終了間際の施設以外の営業中の施設
および前記所定の時刻が営業時間外に含まれ前記営業開始間際の施設以外の営業時間外の施設とともに互いに異なる提示態様でユーザに提示すること
を特徴とする請求項１乃至請求項１０のいずれか１項に記載の車載用ナビゲーション装置。
【請求項１２】
前記施設提示手段は、
前記タイムサービスの開始間際の施設を、
前記所定の時刻がタイムサービスの終了まで所定時間以内のタイムサービスの終了前の時刻に含まれるタイムサービスの終了間際の施設、
前記所定の時刻がタイムサービスの実施時間内に含まれ前記タイムサービスの終了間際の施設以外のタイムサービス実施中の施設
および前記所定の時刻がタイムサービスの実施時間外に含まれ前記タイムサービスの開始間際の施設以外のタイムサービスの実施時間外の施設とともに互いに異なる提示態様でユーザに提示すること
を特徴とする請求項６乃至請求項１１のいずれか１項に記載の車載用ナビゲーション装置。
【請求項１３】
前記施設提示手段は、
所定の時刻がオーダーストップまで所定時間以内のオーダーストップ前の時刻に含まれるオーダーストップ間際の施設をユーザに提示すること
を特徴とする請求項１乃至請求項１２のいずれか１項に記載の車載用ナビゲーション装置。
【発明の詳細な説明】
【技術分野】
【０００１】
本発明は、車載用ナビゲーション装置に係り、特に、ユーザに施設を提示するのに好適な車載用ナビゲーション装置に関する。
【背景技術】
【０００２】
従来から、車載用ナビゲーション装置においては、地図データにおけるＰＯＩ(Points Of Interest)情報に基づいて、現在の時刻あるいは到着予想時刻が営業時間内となる施設を示すアイコン（ランドマーク）を、他の施設のアイコンとは異なる特殊な表示態様で地図上に重畳表示することによって、営業時間内の施設をユーザに提示することが行われていた。
【０００３】
例えば、特許文献１においては、到着予想時刻が営業時間内であるか否かに応じてランドマークの輝度や明るさを変更することが提案されている。
【先行技術文献】
【特許文献】
【０００４】
【特許文献１】特開２００７−３３３６９８号公報
【特許文献２】特開２００８−６４４８０号公報
【特許文献３】特開平１１−３３７３６１号公報
【発明の概要】
【発明が解決しようとする課題】
【０００５】
ところで、車載用ナビゲーション装置の使用時には、例えば、施設内が利用者によって混雑していない施設の営業開始直後に施設でのサービスを受けたいという希望が生じる場合があるが、このような場合に、営業開始間際の施設をユーザに提示することができればユーザにとって非常に便利である。
【０００６】
しかしながら、従来の車載用ナビゲーション装置においては、施設が営業時間内であるか否かの情報しか提示することができなかったため、営業開始間際の施設を把握したいというユーザの要求に応えることができないといった問題が生じていた。
【０００７】
そこで、本発明は、このような問題点に鑑みなされたものであり、ユーザに営業開始間際の施設を把握させることができ、利便性を向上させることができる車載用ナビゲーション装置を提供することを目的とするものである。
【課題を解決するための手段】
【０００８】
前述した目的を達成するため、本発明に係る車載用ナビゲーション装置は、施設の所定の属性を示す施設情報を含む地図データが記憶された地図データ記憶手段を備えた車載用ナビゲーション装置であって、前記施設情報は、前記属性の１つとしての施設の営業時間を示す営業時間情報を含む情報とされ、前記地図データ記憶手段に記憶された前記営業時間情報に基づいて、所定の時刻が営業開始まで所定時間以内の営業開始前の時刻に含まれる営業開始間際の施設をユーザに提示する施設提示手段と、前記地図データ記憶手段に記憶された前記施設情報に基づいて、前記属性に関する設定された検索条件を満足する施設を検索する施設検索手段と、この施設検索手段によって検索された施設への到着予想時刻を算出する到着予想時刻算出手段と、前記施設検索手段によって検索された施設の中からユーザによって選択された施設を目的地に設定する目的地設定手段と、この目的地設定手段によって設定された目的地までの自車両の経路誘導を行う経路誘導手段と、前記到着予想時刻算出手段の算出結果に基づいて、前記目的地設定手段によって設定された前記目的地への到着予想時刻を、前記経路誘導手段による前記経路誘導の際に表示部に表示する目的地到着予想時刻表示手段とを備え、前記施設提示手段は、前記地図データ記憶手段に記憶された前記目的地設定手段によって設定された前記目的地についての前記営業時間情報に基づいて、前記到着予想時刻算出手段によって算出された前記目的地への前記到着予想時刻が、前記目的地の営業開始まで所定時間以内の営業開始前の時刻となるか否かの判定を行う第１の到着予想時刻判定手段と、前記目的地到着予想時刻表示手段によって表示される前記目的地への到着予想時刻の表示態様を、前記第１の到着予想時刻判定手段の判定結果が肯定的となる場合と否定的となる場合とで互いに異ならせるように前記目的地到着予想時刻表示手段を制御する第１の目的地到着予想時刻表示態様制御手段とを有するとともに、前記所定の時刻を前記到着予想時刻とした前記営業開始間際の施設のユーザへの提示を、前記目的地到着予想時刻表示手段による前記第１の目的地到着予想時刻表示態様制御手段の前記制御にしたがった表示態様での前記第１の到着予想時刻判定手段の判定結果が肯定的となる前記目的地への到着予想時刻の表示によって行うことを特徴としている。
【０００９】
また、前記地図データ記憶手段に記憶された前記地図データに基づいて、所定領域の地図を表示部に表示する地図表示手段と、前記地図データ記憶手段に記憶された前記施設情報に基づいて、前記地図表示手段によって表示される前記地図上に、前記所定領域内に存在する施設を示すアイコンを重畳表示する施設アイコン表示手段と、現在の時刻を取得する現在時刻取得手段とを備え、前記施設提示手段は、前記地図データ記憶手段に記憶された前記所定領域内に存在する施設についての前記営業時間情報および前記現在時刻取得手段によって取得された前記現在の時刻に基づいて、前記所定領域内に存在する施設の中から当該施設のうちの前記現在の時刻が営業開始まで所定時間以内の営業開始前の時刻に含まれる営業開始間際の施設である第１の地図領域内該当施設を抽出する第１の地図領域内該当施設抽出手段と、この第１の地図領域内該当施設抽出手段によって抽出された前記第１の地図領域内該当施設についての前記アイコンの表示態様を、前記第１の地図領域内該当施設以外の前記所定領域内に存在する施設についての前記アイコンの表示態様と異ならせるように前記施設アイコン表示手段を制御する第１のアイコン表示態様制御手段とを有するとともに、前記所定の時刻を前記現在の時刻として抽出された前記第１の地図領域内該当施設のユーザへの提示を、前記施設アイコン表示手段による前記第１のアイコン表示態様制御手段の前記制御にしたがった表示態様での前記第１の地図領域内該当施設を示す前記アイコンの表示によって行うようにしてもよい。
【００１０】
さらに、前記地図データ記憶手段に記憶された前記施設情報に基づいて、前記属性に関する設定された検索条件を満足する施設を検索する施設検索手段と、この施設検索手段によって検索された施設を示す施設検索結果を表示部に表示する施設検索結果表示手段と、現在の時刻を取得する現在時刻取得手段とを備え、前記施設提示手段は、前記地図データ記憶手段に記憶された前記施設検索手段によって検索された施設についての前記営業時間情報および前記現在時刻取得手段によって取得された前記現在の時刻に基づいて、前記施設検索手段によって検索された施設の中から当該施設のうちの前記現在の時刻が営業開始まで所定時間以内の営業開始前の時刻に含まれる営業開始間際の施設である第１の検索施設内現時該当施設を抽出する第１の検索施設内現時該当施設抽出手段と、この第１の検索施設内現時該当施設抽出手段によって抽出された前記第１の検索施設内現時該当施設についての前記施設検索結果の表示態様を、前記第１の検索施設内現時該当施設以外の前記施設検索手段によって検索された施設についての前記施設検索結果の表示態様と異ならせるように前記施設検索結果表示手段を制御する第１の検索施設内現時該当施設表示態様制御手段とを有するとともに、前記所定の時刻を前記現在の時刻として抽出された前記第１の検索施設内現時該当施設のユーザへの提示を、前記施設検索結果表示手段による前記第１の検索施設内現時該当施設表示態様制御手段の前記制御にしたがった表示態様での前記第１の検索施設内現時該当施設を示す前記施設検索結果の表示によって行うようにしてもよい。
【００１１】
さらにまた、前記地図データ記憶手段に記憶された前記施設情報に基づいて、前記属性に関する設定された検索条件を満足する施設を検索する施設検索手段と、この施設検索手段によって検索された施設を示す施設検索結果を表示部に表示する施設検索結果表示手段と、前記施設検索手段によって検索された施設への到着予想時刻を算出する到着予想時刻算出手段とを備え、前記施設提示手段は、前記地図データ記憶手段に記憶された前記施設検索手段によって検索された施設についての前記営業時間情報および前記到着予想時刻算出手段によって算出された前記到着予想時刻に基づいて、前記施設検索手段によって検索された施設の中から当該施設のうちの前記到着予想時刻が営業開始まで所定時間以内の営業開始前の時刻に含まれる営業開始間際の施設である第１の検索施設内到着時該当施設を抽出する第１の検索施設内到着時該当施設抽出手段と、この第１の検索施設内到着時該当施設抽出手段によって抽出された前記第１の検索施設内到着時該当施設についての前記施設検索結果の表示態様を、前記第１の検索施設内到着時該当施設以外の前記施設検索手段によって検索された施設についての前記施設検索結果の表示態様と異ならせるように前記施設検索結果表示手段を制御する第１の検索施設内到着時該当施設表示態様制御手段とを有するとともに、前記所定の時刻を前記到着予想時刻として抽出された前記第１の検索施設内到着時該当施設のユーザへの提示を、前記施設検索結果表示手段による前記第１の検索施設内到着時該当施設表示態様制御手段の前記制御にしたがった表示態様での前記第１の検索施設内到着時該当施設を示す前記施設検索結果の表示によって行うようにしてもよい。
【００１３】
さらに、自車位置を検出する自車位置検出手段と、現在の時刻を取得する現在時刻取得手段とを備え、前記施設提示手段は、前記地図データ記憶手段に記憶された前記自車位置検出手段によって検出された自車位置の周辺の所定領域内に存在する施設についての前記営業時間情報および前記現在時刻取得手段によって取得された前記現在の時刻に基づいて、前記自車位置の周辺の所定領域内に存在する施設の中から当該施設のうちの前記現在の時刻が営業開始まで所定時間以内の営業開始前の時刻に含まれる営業開始間際の施設である第１の自車周辺領域内該当施設を抽出する第１の自車周辺領域内該当施設抽出手段と、前記自車位置検出手段によって検出された自車位置が、前記第１の自車周辺領域内該当施設抽出手段によって抽出された前記第１の自車周辺領域内該当施設の位置まで所定の距離以内の位置の場合に、当該第１の自車周辺領域内該当施設を画像および音声の少なくとも一方によってユーザに案内する第１の自車周辺領域内該当施設案内手段とを有するとともに、前記所定の時刻を前記現在の時刻として抽出された前記第１の自車周辺領域内該当施設のユーザへの提示を、前記第１の自車周辺領域内該当施設案内手段による前記第１の自車周辺領域内該当施設の案内によって行うようにしてもよい。
【００１４】
さらにまた、タイムサービスが実施される施設についてのタイムサービスに関する情報であって、少なくとも、タイムサービスの実施時間を示す情報であるタイムサービス情報が、前記タイムサービスが実施される施設についての前記施設情報と対応した状態で記憶されたタイムサービス情報記憶手段を備え、前記施設提示手段は、前記タイムサービス情報記憶手段に記憶された前記タイムサービス情報に基づいて、所定の時刻がタイムサービスの開始まで所定時間以内のタイムサービスの開始前の時刻に含まれるタイムサービスの開始間際の施設をユーザに提示するようにされており、前記タイムサービス情報記憶手段に記憶された前記タイムサービス情報に基づいて、前記到着予想時刻算出手段によって算出された前記目的地への前記到着予想時刻が、前記目的地のタイムサービスの開始まで所定時間以内のタイムサービスの開始前の時刻となるか否かの判定を行う第２の到着予想時刻判定手段と、前記目的地到着予想時刻表示手段によって表示される前記目的地への到着予想時刻の表示態様を、前記第２の到着予想時刻判定手段の判定結果が肯定的となる場合と否定的となる場合とで互いに異ならせるように前記目的地到着予想時刻表示手段を制御する第２の目的地到着予想時刻表示態様制御手段とを有するとともに、前記所定の時刻を前記到着予想時刻とした前記タイムサービスの開始間際の施設のユーザへの提示を、前記目的地到着予想時刻表示手段による前記第２の目的地到着予想時刻表示態様制御手段の前記制御にしたがった表示態様での前記第２の到着予想時刻判定手段の判定結果が肯定的となる前記目的地への到着予想時刻の表示によって行うことを特徴とする。
【００１５】
また、前記地図データ記憶手段に記憶された前記地図データに基づいて、所定領域の地図を表示部に表示する地図表示手段と、前記地図データ記憶手段に記憶された前記施設情報に基づいて、前記地図表示手段によって表示される前記地図上に、前記所定領域内に存在する施設を示すアイコンを重畳表示する施設アイコン表示手段と、現在の時刻を取得する現在時刻取得手段とを備え、前記施設提示手段は、前記地図データ記憶手段に記憶された前記所定領域内に存在する施設についての前記施設情報、前記タイムサービス情報記憶手段に記憶された前記タイムサービス情報および前記現在時刻取得手段によって取得された前記現在の時刻に基づいて、前記所定領域内に存在する施設の中から当該施設のうちの前記現在の時刻がタイムサービスの開始まで所定時間以内のタイムサービスの開始前の時刻に含まれる前記タイムサービスの開始間際の施設である第２の地図領域内該当施設を抽出する第２の地図領域内該当施設抽出手段と、この第２の地図領域内該当施設抽出手段によって抽出された前記第２の地図領域内該当施設についての前記アイコンの表示態様を、前記第２の地図領域内該当施設以外の前記所定領域内に存在する施設についての前記アイコンの表示態様と異ならせるように前記施設アイコン表示手段を制御する第２のアイコン表示態様制御手段とを有するとともに、前記所定の時刻を前記現在の時刻として抽出された前記第２の地図領域内該当施設のユーザへの提示を、前記施設アイコン表示手段による前記第２のアイコン表示態様制御手段の前記制御にしたがった表示態様での前記第２の地図領域内該当施設を示す前記アイコンの表示によって行うようにしてもよい。
【００１６】
さらに、前記地図データ記憶手段に記憶された前記施設情報に基づいて、前記属性に関する設定された検索条件を満足する施設を検索する施設検索手段と、この施設検索手段によって検索された施設を示す施設検索結果を表示部に表示する施設  検索結果表示手段と、現在の時刻を取得する現在時刻取得手段とを備え、前記施設提示手段は、前記タイムサービス情報記憶手段に記憶された前記タイムサービス情報および前記現在時刻取得手段によって取得された前記現在の時刻に基づいて、前記施設検索手段によって検索された施設の中から当該施設のうちの前記現在の時刻がタイムサービスの開始まで所定時間以内のタイムサービスの開始前の時刻に含まれる前記タイムサービスの開始間際の施設である第２の検索施設内現時該当施設を抽出する第２の検索施設内現時該当施設抽出手段と、この第２の検索施設内現時該当施設抽出手段によって抽出された前記第２の検索施設内現時該当施設についての前記施設検索結果の表示態様を、前記第２の検索施設内現時該当施設以外の前記施設検索手段によって検索された施設についての前記施設検索結果の表示態様と異ならせるように前記施設検索結果表示手段を制御する第２の検索施設内現時該当施設表示態様制御手段とを有するとともに、前記所定の時刻を前記到着予想時刻として抽出された前記第２の検索施設内現時該当施設のユーザへの提示を、前記施設検索結果表示手段による前記第２の検索施設内現時該当施設表示態様制御手段の前記制御にしたがった表示態様での前記第２の検索施設内到着時該当施設を示す前記施設検索結果の表示によって行うようにしてもよい。
【００１７】
さらにまた、前記地図データ記憶手段に記憶された前記施設情報に基づいて、前記属性に関する設定された検索条件を満足する施設を検索する施設検索手段と、この施設検索手段によって検索された施設を示す施設検索結果を表示部に表示する施設検索結果表示手段と、前記施設検索手段によって検索された施設への到着予想時刻を算出する到着予想時刻算出手段とを備え、前記施設提示手段は、前記タイムサービス情報記憶手段に記憶された前記タイムサービス情報および前記到着予想時刻算出手段によって算出された前記到着予想時刻に基づいて、前記施設検索手段によって検索された施設の中から当該施設のうちの前記到着予想時刻がタイムサービスの開始まで所定時間以内のタイムサービスの開始前の時刻に含まれるタイムサービスの開始間際の施設である第２の検索施設内到着時該当施設を抽出する第２の検索施設内到着時該当施設抽出手段と、この第２の検索施設内到着時該当施設抽出手段によって抽出された前記第２の検索施設内到着時該当施設についての前記施設検索結果の表示態様を、前記第２の検索施設内到着時該当施設以外の前記施設検索手段によって検索された施設についての前記施設検索結果の表示態様と異ならせるように前記施設検索結果表示手段を制御する第２の検索施設内到着時該当施設表示態様制御手段とを有するとともに、前記所定の時刻を前記到着予想時刻として抽出された前記第２の検索施設内到着時該当施設のユーザへの提示を、前記施設検索結果表示手段による前記第２の検索施設内到着時該当施設表示態様制御手段の前記制御にしたがった表示態様での前記第２の検索施設内到着時該当施設を示す前記施設検索結果の表示によって行うようにしてもよい。
【００１９】
さらに、自車位置を検出する自車位置検出手段と、現在の時刻を取得する現在時刻取得手段とを備え、前記施設提示手段は、前記タイムサービス情報記憶手段に記憶された前記タイムサービス情報および前記現在時刻取得手段によって取得された前記現在の時刻に基づいて、前記自車位置検出手段によって検出された前記自車位置の周辺の所定領域内に存在する施設の中から当該施設のうちの前記現在の時刻がタイムサービスの開始まで所定時間以内のタイムサービスの開始前の時刻に含まれるタイムサービスの開始間際の施設である第２の自車周辺領域内該当施設を抽出する第２の自車周辺領域内該当施設抽出手段と、前記自車位置検出手段によって検出された自車位置が、前記第２の自車周辺領域内該当施設抽出手段によって抽出された前記第２の自車周辺領域内該当施設の位置まで所定の距離以内の位置の場合に、当該第２の自車周辺領域内該当施設を画像および音声の少なくとも一方によってユーザに案内する第２の自車周辺領域内該当施設案内手段とを有するとともに、前記所定の時刻を前記現在の時刻として抽出された前記第２の自車周辺領域内該当施設のユーザへの提示を、前記第２の自車周辺領域内該当施設案内手段による前記第２の自社周辺領域内該当施設の案内によって行うようにしてもよい。
【００２０】
さらにまた、前記施設提示手段は、前記営業開始間際の施設を、前記所定の時刻が営業終了まで所定時間以内の営業終了前の時刻に含まれる営業終了間際の施設、前記所定の時刻が営業時間内に含まれ前記営業終了間際の施設以外の営業中の施設および前記所定の時刻が営業時間外に含まれ前記営業開始間際の施設以外の営業時間外の施設とともに互いに異なる提示態様でユーザに提示してもよい。
【００２１】
また、前記施設提示手段は、前記タイムサービスの開始間際の施設を、前記所定の時刻がタイムサービスの終了まで所定時間以内のタイムサービスの終了前の時刻に含まれるタイムサービスの終了間際の施設、前記所定の時刻がタイムサービスの実施時間内に含まれ前記タイムサービスの終了間際の施設以外のタイムサービス実施中の施設および前記所定の時刻がタイムサービスの実施時間外に含まれ前記タイムサービスの開始間際の施設以外のタイムサービスの実施時間外の施設とともに互いに異なる提示態様でユーザに提示してもよい。
【００２２】
さらに、前記施設提示手段は、所定の時刻がオーダーストップまで所定時間以内のオーダーストップ前の時刻に含まれるオーダーストップ間際の施設をユーザに提示してもよい。
【発明の効果】
【００２３】
本発明によれば、ユーザに営業開始間際の施設を把握させることができ、利便性を向上させることができる。
【図面の簡単な説明】
【００２４】
【図１】本発明に係る車載用ナビゲーション装置の第１実施形態を示すハードウェア構成図
【図２】本発明に係る車載用ナビゲーション装置の第１実施形態において、営業時間情報を示す概念図
【図３】本発明に係る車載用ナビゲーション装置の第１実施形態において、ナビＣＰＵの詳細な構成を示す機能ブロック図
【図４】本発明に係る車載用ナビゲーション装置の第１実施形態において、営業開始間際の施設の第１の提示態様による提示の具体例を示す模式図
【図５】本発明に係る車載用ナビゲーション装置の第１実施形態において、営業開始間際の施設の第１の提示態様による提示動作の一例を示すフローチャート
【図６】本発明に係る車載用ナビゲーション装置の第１実施形態において、営業開始間際の施設の第２の提示態様による提示の具体例を示す模式図
【図７】本発明に係る車載用ナビゲーション装置の第１実施形態において、営業開始間際の施設の第２の提示態様による提示動作の一例を示すフローチャート
【図８】本発明に係る車載用ナビゲーション装置の第１実施形態において、営業開始間際の施設の第３の提示態様による提示動作の一例を示すフローチャート
【図９】本発明に係る車載用ナビゲーション装置の第１実施形態において、目的地への到着予想時刻の表示状態の一例を示す模式図
【図１０】本発明に係る車載用ナビゲーション装置の第１実施形態において、営業開始間際の施設の第４の提示態様による提示動作の一例を示すフローチャート
【図１１】本発明に係る車載用ナビゲーション装置の第１実施形態において、営業開始間際の施設の第５の提示態様による提示動作の一例を示すフローチャート
【図１２】本発明に係る車載用ナビゲーション装置の第２実施形態において、タイムサービス情報を示す概念図
【図１３】本発明に係る車載用ナビゲーション装置の第３実施形態において、オーダーストップの時刻をともなう営業時間情報を示す概念図
【発明を実施するための形態】
【００２５】
（第１実施形態）
以下、本発明に係る車載用ナビゲーション装置の第１実施形態について、図１乃至図１１を参照して説明する。
【００２６】
図１に示すように、本実施形態における車載用ナビゲーション装置１は、大別して、ナビゲーションメインユニット２と、このナビゲーションメインユニット２にそれぞれ接続されたＧＰＳレシーバ３、自律航法センサ４、入力操作部５、ディスプレイ６およびスピーカ７とによって構成されている。
【００２７】
ＧＰＳレシーバ３は、図示しないＧＰＳ衛星から配信されるＧＰＳ情報（時刻や軌道に関する情報）を受信し、受信したＧＰＳ情報をナビゲーションメインユニット２側に出力するようになっている。
【００２８】
自律航法センサ４は、自車両の加速度、車速および自車方位等を検出し、検出結果をナビゲーションメインユニット２側に出力するようになっている。この自律航法センサ４は、ジャイロセンサ等からなるものであってもよい。
【００２９】
入力操作部５は、車載用ナビゲーション装置１に対する種々の入力操作に用いられるようになっている。この入力操作部５は、リモコン、ディスプレイ６のタッチパネル、リニアエンコーダまたはロータリエンコーダ等であってもよい。
【００３０】
次に、ナビゲーションメインユニット２について詳述すると、図１に示すように、ナビゲーションメインユニット２は、システムバス８にそれぞれ接続されたナビＣＰＵ１０、ＲＯＭ１１、ＲＡＭ１２およびハードディスクドライブ（ＨＤＤ）１４によって構成されている。
【００３１】
ここで、ナビＣＰＵ１０は、地図表示機能、自車位置算出機能、経路探索機能、経路誘導機能および施設検索機能等の車載用ナビゲーション装置１の各種の機能を実行するようになっている。
【００３２】
また、ＲＯＭ１１には、ナビＣＰＵ１０の実行プログラムが記憶されており、ナビＣＰＵ１０は、この実行プログラムを実行することによって車載用ナビゲーション装置１の機能を実行するようになっている。
【００３３】
さらに、ＲＡＭ１２は、ナビＣＰＵ１０による処理結果等のデータの一時的な保存等に用いられるようになっている。
【００３４】
さらにまた、ハードディスクドライブ１４は、地図データ記憶手段として機能するようになっており、図２に示すように、ハードディスクドライブ１４には、施設の所定の属性を示す施設である施設情報を含む地図データが記憶されている。具体的には、図２には、複数の施設（施設Ａ、施設Ｂ、施設Ｃ・・・）ごとに図示しない個別の識別コードが付与されて管理された各施設のそれぞれの施設情報として、各施設の名称、住所、電話番号、ジャンルおよび営業時間の各属性を示す施設情報が示されている。なお、図示はしないが、地図データには、道路データ（リンク、ノード、セグメントおよび形状補間点等）や背景データ（点、ポリライン、ポリゴンおよびテキスト等）等のデータも含まれている。
【００３５】
以下、施設情報のうちの施設の営業時間を示す情報を営業時間情報と称する。
【００３６】
この営業時間情報は、地図データの作成時あるいは更新時に地図データに組み込まれるものであってもよい。また、前記営業時間情報は、施設の定休日を含めた情報であってもよい。さらに、図２における施設Ａの営業時間に示すように、営業時間情報が示す施設の営業時間は、複数の時間帯に区分されている場合もある。
【００３７】
次に、ナビＣＰＵ１０について詳述すると、図３に示すように、ナビＣＰＵ１０は、その機能ブロックの１つとして、自車位置検出手段としての自車位置算出部１７を有しており、この自車位置算出部１７には、ＧＰＳレシーバ３から出力されたＧＰＳ情報および自律航法センサ４から出力された検出結果が入力されるようになっている。そして、自車位置算出部１７は、ＧＰＳレシーバ３側から入力されたＧＰＳ情報に基づいて、自車位置を絶対座標として算出する衛星航法を行うようになっている。また、自車位置算出部１７は、自律航法センサ４側から入力された検出結果に基づいて、自車位置を前回の測位位置からの変化分である相対位置として算出する自律航法を行うようになっている。さらに、自車位置算出部１７は、ハードディスクドライブ１４に記憶されている地図データを用いることによって、衛星航法または自律航法によって算出された自車位置を地図データにおける該当する道路上の位置に補正するマップマッチング処理を行うようになっている。そして、自車位置算出部１７は、マップマッチング処理が適正に行われた場合には、マップマッチング処理後の自車位置を最終的な算出結果とするようになっている。
【００３８】
また、図３に示すように、ナビＣＰＵ１０は、その機能ブロックの１つとして、地図表示手段としての地図描画部１８を有している。この地図描画部１８は、自車位置算出部１７の算出結果およびハードディスクドライブ１４に記憶されている地図データを用いることによって、所定領域の地図として、自車位置算出部１７によって算出された自車位置の周辺の領域を示す地図（以下、自車位置周辺地図と称する）を生成するようになっている。そして、地図描画部１８は、生成された自車位置周辺地図をディスプレイ６に表示するようになっている。
【００３９】
さらに、図３に示すように、ナビＣＰＵ１０は、その機能ブロックの１つとして、目的地設定手段としての目的地設定部１９を有しており、この目的地設定部１９は、ディスプレイ６にナビゲーションの目的地を設定するための目的地設定用の操作画面を表示した上で、この操作画面に対するユーザの入力操作部５を用いた入力操作に応じた目的地を設定するようになっている。
【００４０】
さらにまた、図３に示すように、ナビＣＰＵ１０は、その機能ブロックの１つとして、経路探索手段としての経路探索部２０を有しており、この経路探索部２０は、ハードディスクドライブ１４に記憶されている地図データを用いることによって、自車位置算出部１７によって算出された自車位置から目的地設定部１９によって設定された目的地までの経路（例えば、推奨経路）を探索するルート計算を行うようになっている。
【００４１】
また、図３に示すように、ナビＣＰＵ１０は、その機能ブロックの１つとして、経路誘導手段としての経路誘導部２１を有しており、この経路誘導部２１は、経路探索部２０によって探索された経路に沿って自車両を目的地へと誘導する経路誘導（換言すればルート案内）を行うようになっている。この経路誘導は、例えば、ディスプレイ６に交差点拡大図を表示することや、地図描画部１８によってディスプレイ６に表示された地図上に、経路探索部２０によって探索された経路の画像を重畳表示すること、あるいは、スピーカ７を介して交差点右左折案内用の音声を出力すること等によって行われるようになっている。
【００４２】
さらに、図３に示すように、ナビＣＰＵ１０は、その機能ブロックの１つとして、施設提示手段としての施設提示部２２を有している。この施設提示部２２は、ハードディスクドライブ１４に前記施設情報の一部として記憶された前記営業時間情報に基づいて、所定の時刻が営業開始まで所定時間以内の営業開始前の時刻となる前記所定の時刻を基準とした営業開始間際の施設をユーザに提示するようになっている。
【００４３】
この施設提示部２２は、複数の提示態様によって前記営業開始間際の施設をユーザに提示するようになっている。
【００４４】
以下、前記営業開始間際の施設の複数の提示態様について、各提示態様による提示を具現化するための構成とともに説明する。
【００４５】
（営業開始間際の施設の第１の提示態様）
施設提示部２２による前記営業開始間際の施設の第１の提示態様は、地図上のアイコン（ランドマーク）の表示態様の制御によって、所定の時刻としての現在の時刻が営業開始まで所定時間以内の営業開始前の時刻となる現在の時刻を基準とした営業開始間際の施設をユーザに提示する態様である。
【００４６】
この第１の提示態様による提示を具現化するための構成として、図３に示すように、ナビＣＰＵ１０は、その機能ブロックの１つとして、施設アイコン表示手段としての施設アイコン描画部２３を有している。この施設アイコン描画部２３は、ハードディスクドライブ１４に記憶された前記施設情報に基づいて、地図描画部１８によって表示される前記自車位置周辺地図上に、この自車位置周辺地図の領域内（以下、地図領域内と称する）に存在する施設を示すアイコンを重畳表示するようになっている。
【００４７】
また、図３に示すように、ナビＣＰＵ１０は、その機能ブロックの１つとして、現在時刻取得手段としての現在時刻取得部２４を有しており、この現在時刻取得部２４は、現在の時刻を継続的に取得するようになっている。なお、現在時刻取得部２４によって取得される現在の時刻は、年月日をともなう時刻であってもよい。また、現在時刻取得部２４は、例えば、ＧＰＳレシーバ３によって受信されたＧＰＳ情報や自車両に搭載されたラジオの時報等から現在の時刻を取得するようにしてもよい。
【００４８】
さらに、図３に示すように、施設提示部２２は、その機能ブロックの１つとして、第１の地図領域内該当施設抽出手段としての機能を有する地図領域内該当施設抽出部２５を有している。
【００４９】
この地図領域内該当施設抽出部２５は、ハードディスクドライブ１４に記憶された前記地図領域内に存在する施設についての前記営業時間情報と、現在時刻取得部２４によって取得された現在の時刻とに基づいて、前記地図領域内に存在する施設の中から第１の地図領域内該当施設を抽出するようになっている。ただし、前記第１の地図領域内該当施設とは、前記地図領域内に存在する施設のうちの現在の時刻が営業開始まで所定時間以内の営業開始前の時刻となる現在の時刻を基準とした営業開始間際の施設のことをいう（以下、同様）。なお、前記第１の地図領域内該当施設を規定する前記所定時間は、コンセプトに応じて種々の時間を選択することができ、この所定時間は、入力操作部５を用いた画面入力によって設定可能とされていてもよい。
【００５０】
また、図３に示すように、施設提示部２２は、その機能ブロックの１つとして、第１のアイコン表示態様制御手段としてのアイコン表示態様制御部２７を有している。このアイコン表示態様制御部２７は、地図領域内該当施設抽出部２５によって抽出された前記第１の地図領域内該当施設についての前記アイコンの表示態様を、前記第１の地図領域内該当施設以外の前記地図領域内に存在する施設についての前記アイコンの表示態様と異ならせるように施設アイコン描画部２３を制御するようになっている。
【００５１】
そして、第１の提示態様において、施設提示部２２は、前記現在の時刻を基準とした営業開始間際の施設のユーザへの提示を、施設アイコン描画部２３によるアイコン表示態様制御部２７の前記制御にしたがった表示態様での前記第１の地図領域内該当施設を示すアイコンの表示によって行うようになっている。
【００５２】
なお、地図領域内該当施設抽出部２５は、前記地図領域内に存在する施設を、前記第１の地図領域内該当施設、現在の時刻を基準とした営業終了間際の施設、現在の時刻を基準とした営業中の施設および現在の時刻を基準とした営業時間外の施設の４種類の施設に分類することによって、前記第１の地図領域内該当施設を含めた４種類の施設を同時に抽出するようにしてもよい。ただし、前記現在の時刻を基準とした営業終了間際の施設とは、前記地図領域内に存在する施設のうちの現在の時刻が営業終了まで所定時間以内の営業終了前の時刻となる施設のことである（以下、同様）。この営業終了間際の施設を規定する前記所定時間も、コンセプトに応じて種々の時間を選択することができる。また、前記現在の時刻を基準とした営業中の施設とは、前記地図領域内に存在する施設のうちの現在の時刻が営業時間内となる施設であって、前記現在の時刻を基準とした営業終了間際の施設以外の施設のことである（以下、同様）。さらに、前記現在の時刻を基準とした営業時間外の施設とは、前記地図領域内に存在する施設のうちの現在の時刻が営業時間外となる施設であって、前記第１の地図領域内該当施設以外の施設のことである（以下、同様）。
【００５３】
このような４種類の施設への分類および抽出は、ハードディスクドライブ１４に記憶された前記地図領域内に存在する施設についての前記営業時間情報と、現在時刻取得部２４によって取得された現在の時刻とに基づいて行うことができる。
【００５４】
そして、アイコン表示態様制御部２７は、これら４種類の施設についての前記アイコンの表示態様を互いに異ならせるように施設アイコン描画部２３を制御するようにしてもよい。この場合には、前記地図領域内に存在する施設が、前記４種類の施設に分類された状態で、互いに異なる提示態様でユーザに提示されることになる。
【００５５】
ここで、図４は、このような第１の提示態様の具体例を示したものである。図４においては、自車位置周辺地図２９上に、前記地図領域内に存在する施設を示す互いに表示態様が異なる４種類のアイコン３０ａ，３０ｂ，３０ｃ，３０ｄが重畳表示されている。ここで、図４に示される４種類のアイコン３０ａ，３０ｂ，３０ｃ，３０ｄのうち、前記第１の地図領域内該当施設についてのアイコン３０ａは、アイコン表示態様制御部２７による施設アイコン描画部２３の制御によって点滅表示すなわち点灯（表示）と消滅（非表示）とを交互に繰り返す表示態様で表示されている。ただし、このアイコン３０ａの点灯時における表示色は、所定の明色とされている。このとき、アイコン表示態様制御部２７は、現在の時刻が営業開始時刻に近いほど、点滅の周期を短くするように制御してもよい。例えば、現在の時刻が営業開始５分前の場合には、点滅の周期を１００〔ｍｓｅｃ〕、現在の時刻が営業開始１０分前の場合には、点滅の周期を５００〔ｍｓｅｃ〕、現在の時刻が営業開始１５分前の場合には、点滅の周期を１〔ｓｅｃ〕としてもよい。また、図４に示される４種類のアイコン３０ａ，３０ｂ，３０ｃ，３０ｄのうち、前記現在の時刻を基準とした営業終了間際の施設についてのアイコン３０ｂは、アイコン表示態様制御部２７による施設アイコン描画部２３の制御によって点滅表示されている。ただし、このアイコン３０ｂの点灯時における表示色は、所定の暗色（例えば、グレー）とされている。このとき、アイコン表示態様制御部２７は、現在の時刻が営業終了時刻に近いほど、点滅の周期を短くするように制御してもよい。さらに、図４に示される４種類のアイコン３０ａ，３０ｂ，３０ｃ，３０ｄのうち、前記現在の時刻を基準とした営業中の施設についてのアイコン３０ｃは、アイコン表示態様制御部２７による施設アイコン描画部２３の制御によって通常表示すなわち常時点灯状態で表示されている。ただし、このアイコン３０ｃの表示色は、所定の明色とされている。さらにまた、図４に示される４種類のアイコン３０ａ，３０ｂ，３０ｃ，３０ｄのうち、前記現在の時刻を基準とした営業時間外の施設についてのアイコン３０ｄは、アイコン表示態様制御部２７による施設アイコン描画部２３の制御によって常時点灯表示されている。ただし、このアイコン３０ｄの表示色は、所定の暗色とされている。
【００５６】
これにより、ユーザは、前記所定の明色で点滅表示されているアイコン３０ａに対応する施設が現在営業開始間際であることを迅速に把握することができる。このとき、ナビＣＰＵ１０は、前記所定の明色で点滅表示されているアイコン３０ａに対応する施設が現在営業開始間際であることを示すメッセージを表示または音声案内するようにしてもよい。また、このとき、ナビＣＰＵ１０は、前記所定の暗色で点滅表示されているアイコン３０ｂに対応する施設が現在営業終了間際であることを示すメッセージを表示または音声案内するようにしてもよい。さらに、このとき、ナビＣＰＵ１０は、通常表示されているアイコン３０ｃに対応する施設が現在営業中であることを示すメッセージを表示または音声案内するようにしてもよい。さらにまた、このとき、ナビＣＰＵ１０は、前記所定の暗色で常時点灯表示されているアイコン３０ｄに対応する施設が現在営業していないことを示すメッセージを表示または音声案内するようにしてもよい。
【００５７】
また、図４に示したようなアイコン３０ａ，３０ｂ，３０ｃ，３０ｄの表示は、現在の時刻と営業時間との時間的な関係に応じた表示態様でのアイコンの表示を行う旨のアイコンの表示モード（以下、第１のアイコン表示モードと称する）がデフォルトあるいは入力操作部５を用いた入力操作によってアイコン表示態様制御部２７に設定されている場合に行うようにしてもよい。
【００５８】
次に、この第１の提示態様による提示動作の一例について説明する。
【００５９】
第１の提示態様においては、まず、図５のステップ１（ＳＴ１）に示すように、地図描画部１８により、入力操作部５の操作によって前記自車位置周辺地図の地図表示の指示があったか否かを判定し、指示があった場合にはステップ２（ＳＴ２）に進み、指示がなかった場合には処理を終了する。
【００６０】
次いで、ステップ２（ＳＴ２）において、施設アイコン描画部２３により、前記自車位置周辺地図上に前記アイコンを表示するような動作モードの設定が施設アイコン描画部２３に対してなされているか否かを判定し、当該設定がなされている場合にはステップ３（ＳＴ３）に進み、当該設定がなされていない場合には処理を終了する。なお、地図上にアイコンを表示するような動作モードの設定は、入力操作部５を用いた当該動作モードの設定画面（図示せず）に対する入力操作にしたがってナビＣＰＵ１０が行うようにすればよい。
【００６１】
次いで、ステップ３（ＳＴ３）において、施設アイコン描画部２３により、ハードディスクドライブ１４に記憶されている前記地図領域内に存在する施設についての前記施設情報を取得する。この施設情報には、前記営業時間情報も含まれている。なお、このとき、地図領域内該当施設抽出部２５は、地図描画部１８が前記自車位置周辺地図を表示するためにハードディスクドライブ１４から読み出してＲＡＭ１２に一時的に保存した地図データに対応する前記施設情報を、前記地図領域内（すなわち、前記自車位置周辺地図に示される領域内）に存在する施設についての前記施設情報としてＲＡＭ１２から取得するようにしてもよい。
【００６２】
次いで、ステップ４（ＳＴ４）において、アイコン表示態様制御部２７により、前記第１のアイコン表示モードが設定されているか否かを判定し、設定されている場合にはステップ５（ＳＴ５）に進み、設定されていない場合にはステップ１３（ＳＴ１３）に進む。
【００６３】
ステップ５（ＳＴ５）においては、地図領域内該当施設抽出部２５により、現在時刻取得部２４によって取得された現在の時刻を現在時刻取得部２４から取得してステップ６（ＳＴ６）に進む。
【００６４】
一方、ステップ１３（ＳＴ１３）においては、施設アイコン描画部２３により、 前記自車位置周辺地図上にアイコン表示態様制御部２７に設定されている前記第１のアイコン表示モード以外のアイコンの表示モードでアイコンの重畳表示を行って処理を終了する。なお、前記第１のアイコン表示モード以外のアイコンの表示モードには、例えば、前記地図領域内に存在する施設の全てのアイコンを同じ表示態様（例えば、明色による常時点灯表示）で表示するモードや、後述する現在の時刻とタイムサービス実施時間との時間的な関係に応じた表示態様でのアイコンの表示を行う旨のアイコンの表示モード等を考えることができる。
【００６５】
次いで、ステップ６（ＳＴ６）において、地図領域内該当施設抽出部２５により、ステップ３（ＳＴ３）において取得された前記施設情報における前記営業時間情報と、ステップ５（ＳＴ５）において取得された現在の時刻とに基づいて、前記地図領域内に存在する施設に対して、各施設ごとに現在の時刻が営業時間内であるか否かの判定を行う。そして、このステップ６（ＳＴ６）における判定において否定的な判定結果が得られた場合にはステップ７（ＳＴ７）に進み、肯定的な判定結果が得られた場合にはステップ９（ＳＴ９）に進む。
【００６６】
ステップ７（ＳＴ７）においては、地図領域内該当施設抽出部２５により、ステップ３（ＳＴ３）において取得された前記施設情報における前記営業時間情報と、ステップ５（ＳＴ５）において取得された現在の時刻とに基づいて、前記第１の地図領域内該当施設および前記現在の時刻を基準とした営業時間外の施設を抽出する。具体的には、前記地図領域内に存在する施設に対して、各施設ごとに現在の時刻が営業開始まで所定時間以内の営業開始前の時刻か否かの判定を行い、この判定において肯定的な判定結果が得られた場合にはステップ８（ＳＴ８）に進み、否定的な判定結果が得られた場合にはステップ１２（ＳＴ１２）に進む。そして、前記地図領域内に存在する施設のうち、ステップ８（ＳＴ８）に進む施設が前記第１の地図領域内該当施設となり、ステップ１２（ＳＴ１２）に進む施設が前記現在の時刻を基準とした営業時間外の施設となる。
【００６７】
一方、ステップ９（ＳＴ９）において、地図領域内該当施設抽出部２５により、ステップ３（ＳＴ３）において取得された前記施設情報における前記営業時間情報と、ステップ５（ＳＴ５）において取得された現在の時刻とに基づいて、前記現在の時刻を基準とした営業終了間際の施設および前記現在の時刻を基準とした営業中の施設を抽出する。具体的には、前記地図領域内に存在する施設に対して、各施設ごとに現在の時刻が営業終了まで所定時間以内の営業終了前の時刻か否かの判定を行い、この判定において肯定的な判定結果が得られた場合にはステップ１０（ＳＴ１０）に進み、否定的な判定結果が得られた場合にはステップ１１（ＳＴ１１）に進む。そして、前記地図領域内に存在する施設のうち、ステップ１０（ＳＴ１０）に進む施設が、前記現在の時刻を基準とした営業終了間際の施設となり、ステップ１１（ＳＴ１１）に進む施設が、前記現在の時刻を基準とした営業中の施設となる。
【００６８】
次いで、ステップ７（ＳＴ７）において、施設アイコン描画部２３により、アイコン表示態様制御部２７の前記制御にしたがった表示態様（前記第１の地図領域内該当施設に対応する表示態様）での前記第１の地図領域内該当施設を示すアイコン３０ａ（図４参照）の表示を行って処理を終了する。
【００６９】
また、ステップ１２（ＳＴ１２）において、施設アイコン描画部２３により、アイコン表示態様制御部２７の前記制御にしたがった表示態様での前記現在の時刻を基準とした営業時間外の施設を示すアイコン３０ｄ（図４参照）の表示を行って処理を終了する。
【００７０】
さらに、ステップ１０（ＳＴ１０）において、施設アイコン描画部２３により、アイコン表示態様制御部２７の前記制御にしたがった表示態様での前記現在の時刻を基準とした営業終了間際の施設を示すアイコン３０ｂ（図４参照）の表示を行って処理を終了する。
【００７１】
さらにまた、ステップ１１（ＳＴ１１）において、施設アイコン描画部２３により、アイコン表示態様制御部２７の前記制御にしたがった表示態様での前記現在の時刻を基準とした営業中の施設を示すアイコン３０ｃ（図４参照）の表示を行って処理を終了する。
【００７２】
（営業開始間際の施設の第２の提示態様）
施設提示部２２による前記営業開始間際の施設の第２の提示態様は、施設の検索結果の表示態様の制御によって、前記現在の時刻を基準とした営業開始間際の施設をユーザに提示する態様である。
【００７３】
この第２の提示態様による提示を具現化するための構成として、図３に示すように、ナビＣＰＵ１０は、その機能ブロックの１つとして、施設検索条件設定部３２を有しており、この施設検索条件設定部３２は、施設の検索条件として、前記施設情報に示される施設の属性に関する検索条件（名称、住所、電話番号、またはジャンル等）を設定するようになっている。この検索条件の設定は、目的地設定部１９によって表示された目的地設定用の操作画面（目的地としての施設の検索条件を入力可能な画面構成の操作画面）に対する入力操作部５を用いた入力操作にしたがって設定されるようにしてもよい。
【００７４】
また、第２の提示態様による提示の具現化には、前述した現在時刻取得部２４が用いられるようになっている。
【００７５】
さらに、図３に示すように、ナビＣＰＵ１０は、その機能ブロックの１つとして、施設検索手段としての施設検索部３３を有しており、この施設検索部３３は、ハードディスクドライブ１４に記憶された前記施設情報に基づいて、施設検索条件設定部３２によって設定された前記施設情報に示される施設の属性に関する検索条件を満足する施設を検索するようになっている。
【００７６】
さらにまた、図３に示すように、ナビＣＰＵ１０は、その機能ブロックの１つとして、施設検索結果表示手段としての施設検索結果描画部３４を有しており、この施設検索結果描画部３４は、施設検索部３３によって検索された施設を示す施設検索結果をディスプレイ６に表示するようになっている。
【００７７】
また、図３に示すように、施設提示部２２は、その機能ブロックの１つとして、第１の検索施設内現時該当施設抽出手段としての機能を有する検索施設内現時該当施設抽出部３５を有している。この検索施設内現時該当施設抽出部３５は、ハードディスクドライブ１４に記憶された前記営業時間情報のうちの施設検索部３３によって検索された施設についての前記営業時間情報と、現在時刻取得部２４によって取得された現在の時刻とに基づいて、施設検索部３３によって検索された施設の中から第１の検索施設内現時該当施設を抽出するようになっている。ただし、前記第１の検索施設内現時該当施設とは、施設検索部３３によって検索された施設のうちの現在の時刻が営業開始まで所定時間以内の営業開始前の時刻となる現在の時刻を基準とした営業開始間際の施設をいう（以下、同様）。なお、前記第１の検索施設内現時該当施設を規定する前記所定時間は、コンセプトに応じて種々の時間を選択することができる。この所定時間は、入力操作部５を用いた画面入力によって設定可能とされていてもよい。
【００７８】
また、図３に示すように、施設提示部２２は、その機能ブロックの１つとして、第１の検索施設内現時該当施設表示態様制御手段としての検索施設内現時該当施設表示態様制御部３６を有している。この検索施設内現時該当施設表示態様制御部３６は、検索施設内現時該当施設抽出部３５によって抽出された前記第１の検索施設内現時該当施設についての前記施設検索結果の表示態様を、前記第１の検索施設内現時該当施設以外の施設検索部３３によって検索された施設についての前記施設検索結果の表示態様と異ならせるように施設検索結果描画部３４を制御するようになっている。
【００７９】
そして、第２の提示態様において、施設提示部２２は、前記現在の時刻を基準とした営業開始間際の施設のユーザへの提示を、施設検索結果描画部３４による検索施設内現時該当施設表示態様制御部３６の前記制御にしたがった表示態様での前記第１の検索施設内現時該当施設を示す前記施設検索結果の表示によって行うようになっている。
【００８０】
なお、検索施設内現時該当施設抽出部３５は、施設検索部３３によって検索された施設を、前記第１の検索施設内現時該当施設、現在の時刻を基準とした営業終了間際の施設、現在の時刻を基準とした営業中の施設および現在の時刻を基準とした営業時間外の施設の４種類の施設に分類することによって、前記第１の検索施設内現時該当施設を含めた４種類の施設を同時に抽出するようにしてもよい。ただし、前記現在の時刻を基準とした営業終了間際の施設とは、前記施設検索部３３によって検索された施設のうちの現在の時刻が営業終了まで所定時間以内の営業終了前の時刻となる施設のことである（以下、同様）。この営業終了間際の施設を示す前記所定時間は、コンセプトに応じて種々の時間を選択することができる。また、前記現在の時刻を基準とした営業中の施設とは、前記施設検索部３３によって検索された施設のうちの現在の時刻が営業時間内となる施設であって、前記現在の時刻を基準とした営業終了間際の施設以外の施設のことである（以下、同様）。さらに、前記現在の時刻を基準とした営業時間外の施設とは、施設検索部３３によって検索された施設のうちの現在の時刻が営業時間外となる施設であって、前記第１の検索施設内現時該当施設以外の施設のことである（以下、同様）。
【００８１】
このような４種類の施設への分類および抽出は、ハードディスクドライブ１４に記憶された施設検索部３３によって検索された施設についての前記営業時間情報と、現在時刻取得部２４によって取得された現在の時刻とに基づいて行うことができる。
【００８２】
そして、検索施設内現時該当施設表示態様制御部３６は、これら４種類の施設についての前記施設検索結果の表示態様を互いに異ならせるように施設検索結果描画部３４を制御するようにしてもよい。この場合には、施設検索部３３によって検索された施設が、前記４種類の施設に分類された状態で、互いに異なる提示態様でユーザに提示されることになる。
【００８３】
ここで、図６は、このような第２の提示態様の具体例を示したものである。図６には、施設検索結果描画部３４によってディスプレイ６に表示される前記施設検索結果の一例としての検索結果一覧表示画面４０が示されている。図６に示すように、検索結果一覧表示画面４０には、施設検索部３３によって検索された施設（図６においては施設名）をそれぞれ示す項目４１ａ，４１ｂ，４１ｃ，４１ｄが、図６における上側（先頭側）から下側に向かって所定の並び順で一覧表示されている。なお、検索結果一覧表示画面４０上には、施設検索部３３によって検索された施設のうち、先頭側の４件の施設の項目４１ａ，４１ｂ，４１ｃ，４１ｄのみが表示されており、末尾側の施設は、入力操作部５を用いたスクロールバー４２の操作によって表示することができるようになっている。ここで、図６に示される４件の項目４１ａ，４１ｂ，４１ｃ，４１ｄのうち、前記第１の検索施設内現時該当施設についての項目４１ａは、検索施設内現時該当施設表示態様制御部３６による施設検索結果描画部３４の制御によって点滅表示すなわち点灯（表示）と消滅（非表示）とを交互に繰り返す表示態様で表示されている。ただし、この項目４１ａの点灯時における表示色は、所定の明色とされている。このとき、検索施設内現時該当施設表示態様制御部３６は、現在の時刻が営業開始時刻に近いほど、点滅の周期を短くするように制御してもよい。また、図６に示される４種類の項目４１ａ，４１ｂ，４１ｃ，４１ｄのうち、前記現在の時刻を基準とした営業終了間際の施設についての項目４１ｂは、検索施設内現時該当施設表示態様制御部３６による施設検索結果描画部３４の制御によって点滅表示されている。ただし、この４１ｂの点灯時における表示色は、所定の暗色（例えば、グレー）とされている。このとき、検索施設内現時該当施設表示態様制御部３６は、現在の時刻が営業終了時刻に近いほど、点滅の周期を短くするように制御してもよい。さらに、図６に示される４種類の項目４１ａ，４１ｂ，４１ｃ，４１ｄのうち、前記現在の時刻を基準とした営業中の施設についての項目４１ｃは、検索施設内現時該当施設表示態様制御部３６による施設検索結果描画部３４の制御によって通常表示すなわち常時点灯状態で表示されている。ただし、この項目４１ｃの表示色は、所定の明色とされている。さらにまた、図６に示される４種類の項目４１ａ，４１ｂ，４１ｃ，４１ｄのうち、前記現在の時刻を基準とした営業時間外の施設についての項目４１ｄは、検索施設内現時該当施設表示態様制御部３６による施設検索結果描画部３４の制御によって常時点灯表示されている。ただし、この項目４１ｄの表示色は、所定の暗色とされている。
【００８４】
これにより、ユーザは、前記所定の明色で点滅表示されている項目４１ａに対応する施設が現在営業開始間際であることを迅速に把握することができる。このとき、ナビＣＰＵ１０は、前記所定の明色で点滅表示されている項目４１ａに対応する施設が現在営業開始間際であることを示すメッセージを表示または音声案内するようにしてもよい。また、このとき、ナビＣＰＵ１０は、前記所定の暗色で点滅表示されている項目４１ｂに対応する施設が現在営業終了間際であることを示すメッセージを表示または音声案内するようにしてもよい。さらに、このとき、ナビＣＰＵ１０は、通常表示されている項目４１ｃに対応する施設が現在営業中であることを示すメッセージを表示または音声案内するようにしてもよい。さらにまた、このとき、ナビＣＰＵ１０は、前記所定の暗色で常時点灯表示されている項目４１ｄに対応する施設が現在営業していないことを示すメッセージを表示または音声案内するようにしてもよい。
【００８５】
また、図６に示したような項目４１ａ，４１ｂ，４１ｃ，４１ｄの表示は、現在の時刻と営業時間との時間的な関係に応じた表示態様での前記施設検索結果の表示を行う旨の前記施設検索結果の表示モード（以下、第１の施設検索結果表示モードと称する）がデフォルトあるいは入力操作部５を用いた入力操作によって検索施設内現時該当施設表示態様制御部３６に設定されている場合に行うようにしてもよい。
【００８６】
さらに、図６の検索結果一覧表示画面４０は、入力操作部５を用いて選択された項目４１ａ，４１ｂ，４１ｃ，４１ｄを目的地に設定することが可能とされた目的地設定用の操作画面の１つとして表示されるものであってもよい。
【００８７】
次に、この第２の提示態様による提示動作の一例について説明する。
【００８８】
第２の提示態様においては、まず、図７のステップ２１（ＳＴ２１）に示すように、施設検索部３３により、施設検索条件設定部３２によって設定された前記施設情報に示される施設の属性に関する検索条件を満足する施設を、前記ハードディスクドライブ１４に記憶された前記施設情報を用いて検索する。
【００８９】
次いで、ステップ２２（ＳＴ２２）において、検索施設内現時該当施設表示態様制御部３６により、前記第１の施設検索結果表示モードが設定されているか否かを判定し、設定されている場合にはステップ２３（ＳＴ２３）に進み、設定されていない場合にはステップ３１（ＳＴ３１）に進む。
【００９０】
ステップ２３（ＳＴ２３）においては、検索施設内現時該当施設抽出部３５により、現在時刻取得部２４によって取得された現在の時刻を現在時刻取得部２４から取得するとともに、ステップ２１（ＳＴ２１）において検索された施設についての前記営業時間情報を取得してステップ２４（ＳＴ２４）に進む。
【００９１】
一方、ステップ３１（ＳＴ３１）においては、施設検索結果描画部３４により、検索施設内現時該当施設表示態様制御部３６に設定されている前記第１の施設検索結果表示モード以外の前記施設検索結果の表示モードで前記施設検索結果の表示を行って処理を終了する。なお、前記第１の施設検索結果表示モード以外の前記施設検索結果の表示モードには、例えば、施設検索部３３によって検索された施設の全ての前記施設検索結果を同じ表示態様で表示するモードや、後述する第２〜第６の施設検索結果表示モード等を挙げることができる。
【００９２】
次いで、ステップ２４（ＳＴ２４）において、検索施設内現時該当施設抽出部３５により、ステップ２３（ＳＴ２３）において取得された現在の時刻と前記営業時間情報とに基づいて、ステップ２１（ＳＴ２１）において検索された施設に対して、各施設ごとに現在の時刻が営業時間内であるか否かの判定を行う。そして、このステップ２４（ＳＴ２４）における判定において否定的な判定結果が得られた場合にはステップ２５（ＳＴ２５）に進み、肯定的な判定結果が得られた場合にはステップ２７（ＳＴ２７）に進む。
【００９３】
ステップ２５（ＳＴ２５）においては、検索施設内現時該当施設抽出部３５により、ステップ２３（ＳＴ２３）において取得された現在の時刻と前記営業時間情報とに基づいて、前記第１の検索施設内現時該当施設および前記現在の時刻を基準とした営業時間外の施設を抽出する。具体的には、ステップ２１（ＳＴ２１）において検索された施設に対して、各施設ごとに現在の時刻が営業開始まで所定時間以内の営業開始前の時刻か否かの判定を行い、この判定において肯定的な判定結果が得られた場合にはステップ２６（ＳＴ２６）に進み、否定的な判定結果が得られた場合にはステップ３０（ＳＴ３０）に進む。そして、ステップ２１（ＳＴ２１）において検索された施設のうち、ステップ２６（ＳＴ２６）に進む施設が前記第１の検索施設内現時該当施設となり、ステップ３０（ＳＴ３０）に進む施設が前記現在の時刻を基準とした営業時間外の施設となる。
【００９４】
一方、ステップ２７（ＳＴ２７）においては、検索施設内現時該当施設抽出部３５により、ステップ２３（ＳＴ２３）において取得された現在の時刻と前記営業時間情報とに基づいて、前記現在の時刻を基準とした営業終了間際の施設および前記現在の時刻を基準とした営業中の施設を抽出する。具体的には、ステップ２１（ＳＴ２１）において検索された施設に対して、各施設ごとに現在の時刻が営業終了まで所定時間以内の営業終了前の時刻か否かの判定を行い、この判定において肯定的な判定結果が得られた場合にはステップ２８（ＳＴ２８）に進み、否定的な判定結果が得られた場合にはステップ２９（ＳＴ２９）に進む。そして、ステップ２１（ＳＴ２１）において検索された施設のうち、ステップ２８（ＳＴ２８）に進む施設が、前記現在の時刻を基準とした営業終了間際の施設となり、ステップ２９（ＳＴ２９）に進む施設が、前記現在の時刻を基準とした営業中の施設となる。
【００９５】
次いで、ステップ２６（ＳＴ２６）において、施設検索結果描画部３４により、検索施設内現時該当施設表示態様制御部３６の前記制御にしたがった表示態様での前記第１の検索施設内現時該当施設を示す項目４１ａ（図６参照）の表示を行って処理を終了する。
【００９６】
また、ステップ３０（ＳＴ３０）において、施設検索結果描画部３４により、検索施設内現時該当施設表示態様制御部３６の前記制御にしたがった表示態様での前記現在の時刻を基準とした営業時間外の施設を示す項目４１ｄ（図６参照）の表示を行って処理を終了する。
【００９７】
さらに、ステップ２８（ＳＴ２８）において、施設検索結果描画部３４により、検索施設内現時該当施設表示態様制御部３６の前記制御にしたがった表示態様での前記現在の時刻を基準とした営業終了間際の施設を示す項目４１ｂ（図６参照）の表示を行って処理を終了する。
【００９８】
さらにまた、ステップ２９（ＳＴ２９）において、施設検索結果描画部３４により、検索施設内現時該当施設表示態様制御部３６の前記制御にしたがった表示態様での前記現在の時刻を基準とした営業中の施設を示す項目４１ｃ（図６参照）の表示を行って処理を終了する。
【００９９】
（営業開始間際の施設の第３の提示態様）
施設提示部２２による前記営業開始間際の施設の第３の提示態様は、施設の検索結果の表示態様の制御によって、所定の時刻としての到着予想時刻を基準とした営業開始間際の施設をユーザに提示する態様である。
【０１００】
第３の提示態様による提示の具現化には、前述した施設検索部３３および施設検索結果描画部３４が用いられるようになっている。
【０１０１】
この他にも、第３の提示態様による提示を具現化するための構成として、図３に示すように、ナビＣＰＵ１０は、その機能ブロックの１つとして、到着予想時刻算出部４８を有しており、この到着予想時刻算出部４８は、施設検索部３３によって施設が検索された際に、検索された施設ごとに、施設への到着予想時刻を算出するようになっている。なお、この到着予想時刻は、年月日をともなうものであってもよい。また、到着予想時刻算出部４８は、公知の種々の算出方法を用いて到着予想時刻を算出してもよい。例えば、到着予想時刻算出部４８は、施設検索部３３によって検索された各施設までの経路を経路探索部２０に探索させ、その探索結果と初期設定またはユーザによる設定によって予め設定された道路種別（高速道路、一般道等）ごとの自車両の走行速度の情報とを用いて到着予想時刻を算出するようにしてもよい。この場合には、施設までの経路における各道路種別ごとに分類される距離を各道路種別ごとの設定された走行速度でそれぞれ除した値の合算値が当該経路の所要走行時間となるため、この所要走行時間を現在時刻取得部２４によって取得された現在の時刻に加算することによって到着予想時刻が求まることになる。なお、到着予想時刻算出部４８は、算出された到着予想時刻を、この到着予想時刻に対応する施設と識別コードの付与等によって互いに対応付けた状態でＲＡＭ１２に保存するようにしてもよい。
【０１０２】
また、図３に示すように、施設提示部２２は、その機能ブロックの１つとして、第１の検索施設内到着時該当施設抽出手段としての機能を有する検索施設内到着時該当施設抽出部４９を有している。この検索施設内到着時該当施設抽出部４９は、ハードディスクドライブ１４に記憶された前記営業時間情報のうちの施設検索部３３によって検索された施設についての前記営業時間情報と、到着予想時刻算出部４８によって算出された到着予想時刻とに基づいて、施設検索部３３によって検索された施設の中から第１の検索施設内到着時該当施設を抽出するようになっている。ただし、前記第１の検索施設内到着時該当施設とは、施設検索部３３によって検索された施設のうちの到着予想時刻が営業開始まで所定時間以内の営業開始前の時刻となる到着予想時刻を基準とした営業開始間際の施設をいう（以下、同様）。なお、前記第１の検索施設内到着時該当施設を規定する前記所定時間は、コンセプトに応じて種々の時間を選択することができる。この所定時間は、入力操作部５を用いた画面入力によって設定可能とされていてもよい。
【０１０３】
また、図３に示すように、施設提示部２２は、その機能ブロックの１つとして、第１の検索施設内到着時該当施設表示態様制御手段としての検索施設内到着時該当施設表示態様制御部５０を有している。この検索施設内到着時該当施設表示態様制御部５０は、検索施設内到着時該当施設抽出部４９によって抽出された前記第１の検索施設内到着時該当施設についての前記施設検索結果の表示態様を、前記第１の検索施設内到着時該当施設以外の施設検索部３３によって検索された施設についての前記施設検索結果の表示態様と異ならせるように施設検索結果描画部３４を制御するようになっている。
【０１０４】
そして、第３の提示態様において、施設提示部２２は、前記到着予想時刻を基準とした営業開始間際の施設のユーザへの提示を、施設検索結果描画部３４による検索施設内到着時該当施設表示態様制御部５０の前記制御にしたがった表示態様での前記第１の検索施設内到着時該当施設を示す前記施設検索結果の表示によって行うようになっている。
【０１０５】
なお、検索施設内到着時該当施設抽出部４９は、施設検索部３３によって検索された施設を、前記第１の検索施設内到着時該当施設、到着予想時刻を基準とした営業終了間際の施設、到着予想時刻を基準とした営業中の施設および到着予想時刻を基準とした営業時間外の施設の４種類の施設に分類することによって、前記第１の検索施設内到着時該当施設を含めた４種類の施設を同時に抽出するようにしてもよい。ただし、前記到着予想時刻を基準とした営業終了間際の施設とは、前記施設検索部３３によって検索された施設のうちの到着予想時刻が営業終了まで所定時間以内の営業終了前の時刻となる施設のことである（以下、同様）。この営業終了間際の施設を規定する前記所定時間は、コンセプトに応じて種々の時間を選択することができる。また、前記到着予想時刻を基準とした営業中の施設とは、前記施設検索部３３によって検索された施設のうちの到着予想時刻が営業時間内となる施設であって、前記到着予想時刻を基準とした営業終了間際の施設以外の施設のことである（以下、同様）。さらに、前記到着予想時刻を基準とした営業時間外の施設とは、施設検索部３３によって検索された施設のうちの到着予想時刻が営業時間外となる施設であって、前記第１の検索施設内到着時該当施設以外の施設のことである（以下、同様）。
【０１０６】
このような４種類の施設への分類および抽出は、ハードディスクドライブ１４に記憶された施設検索部３３によって検索された施設についての前記営業時間情報と、到着予想時刻算出部４８によって算出された到着予想時刻とに基づいて行うことができる。
【０１０７】
そして、検索施設内到着時該当施設表示態様制御部５０は、これら４種類の施設についての前記施設検索結果の表示態様を互いに異ならせるように施設検索結果描画部３４を制御するようにしてもよい。この場合には、施設検索部３３によって検索された施設が、前記４種類の施設に分類された状態で、互いに異なる提示態様でユーザに提示されることになる。
【０１０８】
この場合に、例えば、検索施設内到着時該当施設表示態様制御部５０は、前記第１の検索施設内到着時該当施設についての前記施設検索結果を、図６に示した項目４１ａのように所定の明色で点滅表示させるように制御してもよい。また、検索施設内到着時該当施設表示態様制御部５０は、前記到着予想時刻を基準とした営業終了間際の施設についての前記施設検索結果を、図６に示した項目４１ｂのように所定の暗色で点滅表示させるように制御してもよい。さらに、検索施設内到着時該当施設表示態様制御部５０は、前記到着予想時刻を基準とした営業中の施設についての前記施設検索結果を、図６に示した項目４１ｃのように所定の明色で常時点灯表示させるように制御してもよい。さらにまた、検索施設内到着時該当施設表示態様制御部５０は、前記到着予想時刻を基準とした営業時間外の施設についての前記施設検索結果を、図６に示した項目４１ｄのように所定の暗色で常時点灯表示させるように制御してもよい。
【０１０９】
このような施設検索部３３によって検索された施設についての４種類の施設に分類された状態での各種類ごとの表示態様による前記施設検索結果の表示は、到着予想時刻と営業時間との時間的な関係に応じた表示態様での前記施設検索結果の表示を行う旨の前記施設検索結果の表示モード（すなわち、第２の施設検索結果表示モードと称する）がデフォルトあるいは入力操作部５を用いた入力操作によって検索施設内到着時該当施設表示態様制御部５０に設定されている場合に行うようにしてもよい。
【０１１０】
次に、この第３の提示態様による提示動作の一例について説明する。
【０１１１】
第３の提示態様においては、まず、図８のステップ４１（ＳＴ４１）に示すように、施設検索部３３により、施設検索条件設定部３２によって設定された前記施設情報に示される施設の属性に関する検索条件を満足する施設を、前記ハードディスクドライブ１４に記憶された前記施設情報を用いて検索する。
【０１１２】
次いで、ステップ４２（ＳＴ４２）において、検索施設内到着時該当施設表示態様制御部５０により、前記第２の施設検索結果表示モードが設定されているか否かを判定し、設定されている場合にはステップ４３（ＳＴ４３）に進み、設定されていない場合にはステップ５１（ＳＴ５１）に進む。
【０１１３】
ステップ４３（ＳＴ４３）においては、検索施設内到着時該当施設抽出部４９により、到着予想時刻算出部４８によって算出された到着予想時刻をＲＡＭ１２等から取得するとともに、ステップ４１（ＳＴ４１）において検索された施設についての前記営業時間情報を取得してステップ４４（ＳＴ４４）に進む。
【０１１４】
一方、ステップ５１（ＳＴ５１）においては、施設検索結果描画部３４により、検索施設内到着時該当施設表示態様制御部５０に設定されている前記第２の施設検索結果表示モード以外の前記施設検索結果の表示モードで前記施設検索結果の表示を行って処理を終了する。なお、前記第２の施設検索結果表示モード以外の前記施設検索結果の表示モードには、例えば、施設検索部３３によって検索された施設の全ての前記施設検索結果を同じ表示態様で表示するモードや、前述した第１の施設検索結果表示モードもしくは後述する第３〜第６の施設検索結果表示モード等を挙げることができる。
【０１１５】
次いで、ステップ４４（ＳＴ４４）においては、検索施設内到着時該当施設抽出部４９により、ステップ４３（ＳＴ４３）において取得された到着予想時刻と前記営業時間情報とに基づいて、ステップ４１（ＳＴ４１）において検索された施設に対して、各施設ごとに到着予想時刻が営業時間内であるか否かの判定を行う。そして、このステップ４４（ＳＴ４４）における判定において否定的な判定結果が得られた場合にはステップ４５（ＳＴ４５）に進み、肯定的な判定結果が得られた場合にはステップ４７（ＳＴ４７）に進む。
【０１１６】
ステップ４５（ＳＴ４５）においては、検索施設内到着時該当施設抽出部４９により、ステップ４３（ＳＴ４３）において取得された到着予想時刻と前記営業時間情報とに基づいて、前記第１の検索施設内到着時該当施設および前記到着予想時刻を基準とした営業時間外の施設を抽出する。具体的には、ステップ４１（ＳＴ４１）において検索された施設に対して、各施設ごとに到着予想時刻が営業開始まで所定時間以内の営業開始前の時刻か否かの判定を行い、この判定において肯定的な判定結果が得られた場合にはステップ４６（ＳＴ４６）に進み、否定的な判定結果が得られた場合にはステップ５０（ＳＴ５０）に進む。そして、ステップ４１（ＳＴ４１）において検索された施設のうち、ステップ４６（ＳＴ４６）に進む施設が前記第１の検索施設内到着時該当施設となり、ステップ５０（ＳＴ５０）に進む施設が前記到着予想時刻を基準とした営業時間外の施設となる。
【０１１７】
一方、ステップ４７（ＳＴ４７）においては、検索施設内到着時該当施設抽出部４９により、ステップ４３（ＳＴ４３）において取得された到着予想時刻と前記営業時間情報とに基づいて、前記到着予想時刻を基準とした営業終了間際の施設および前記到着予想時刻を基準とした営業中の施設を抽出する。具体的には、ステップ４１（ＳＴ４１）において検索された施設に対して、各施設ごとに到着予想時刻が営業終了まで所定時間以内の営業終了前の時刻か否かの判定を行い、この判定において肯定的な判定結果が得られた場合にはステップ４８（ＳＴ４８）に進み、否定的な判定結果が得られた場合にはステップ４９（ＳＴ４９）に進む。そして、ステップ４１（ＳＴ４１）において検索された施設のうち、ステップ４８（ＳＴ４８）に進む施設が、前記到着予想時刻を基準とした営業終了間際の施設となり、ステップ４９（ＳＴ４９）に進む施設が、前記到着予想時刻を基準とした営業中の施設となる。
【０１１８】
次いで、ステップ４６（ＳＴ４６）において、施設検索結果描画部３４により、検索施設内到着時該当施設表示態様制御部５０の前記制御にしたがった表示態様での前記第１の検索施設内到着時該当施設を示す前記施設検索結果の表示を行って処理を終了する。
【０１１９】
また、ステップ５０（ＳＴ５０）において、施設検索結果描画部３４により、検索施設内到着時該当施設表示態様制御部５０の前記制御にしたがった表示態様での前記到着予想時刻を基準とした営業時間外の施設を示す前記施設検索結果の表示を行って処理を終了する。
【０１２０】
さらに、ステップ４８（ＳＴ４８）において、施設検索結果描画部３４により、検索施設内到着時該当施設表示態様制御部５０の前記制御にしたがった表示態様での前記到着予想時刻を基準とした営業終了間際の施設を示す前記施設検索結果の表示を行って処理を終了する。
【０１２１】
さらにまた、ステップ４９（ＳＴ４９）において、施設検索結果描画部３４により、検索施設内到着時該当施設表示態様制御部５０の前記制御にしたがった表示態様での前記到着予想時刻を基準とした営業中の施設を示す前記施設検索結果の表示を行って処理を終了する。
【０１２２】
（営業開始間際の施設の第４の提示態様）
施設提示部２２による前記営業開始間際の施設の第４の提示態様は、到着予想時刻の表示態様の制御によって、所定の時刻としての到着予想時刻を基準とした営業開始間際の施設をユーザに提示する態様である。
【０１２３】
第４の提示態様による提示の具現化には、前述した施設検索部３３、到着予想時刻算出部４８、目的地設定部１９および経路誘導部２１が用いられるようになっている。  
この他にも、第４の提示態様による提示を具現化するための構成として、図３に示すように、ナビＣＰＵ１０は、その機能ブロックの１つとして、目的地到着予想時刻表示手段としての目的地到着予想時刻描画部５２を有している。この目的地到着予想時刻描画部５２は、到着予想時刻算出部４８の算出結果に基づいて、図９に示すように、施設検索部３３によって検索された施設のうちの目的地設定部１９によって設定された目的地（施設）についての到着予想時刻を、この目的地への経路誘導部２１による経路誘導の際にディスプレイ６に表示するようになっている。
【０１２４】
また、図３に示すように、施設提示部２２は、その機能ブロックの１つとして、第１の到着予想時刻判定手段としての到着予想時刻判定部５３を有している。この到着予想時刻判定部５３は、ハードディスクドライブ１４に記憶された目的地設定部１９によって設定された目的地についての前記営業時間情報に基づいて、到着予想時刻算出部４８によって算出された目的地への到着予想時刻が、到着予想時刻を基準とした営業開始間際の時刻となるか否かの判定を行うようになっている。ただし、前記到着予想時刻を基準とした営業開始間際の時刻とは、目的地の営業開始時刻まで所定時間以内の営業開始前の到着予想時刻のことをいう（以下、同様）。なお、この営業開始間際の時刻を規定する前記所定時間は、コンセプトに応じて種々の時間を選択することができ、入力操作部５を用いた画面入力によって設定可能とされていてもよい。
【０１２５】
さらに、図３に示すように、施設提示部２２は、その機能ブロックの１つとして、第１の目的地到着予想時刻表示態様制御手段としての目的地到着予想時刻表示態様制御部５４を有している。この目的地到着予想時刻表示態様制御部５４は、目的地到着予想時刻描画部５２によって表示される目的地への到着予想時刻の表示態様を、到着予想時刻判定部５３の判定結果が肯定的となる場合と否定的となる場合とで互いに異ならせるように目的地到着予想時刻描画部５２を制御するようになっている。
【０１２６】
そして、第４の提示態様において、施設提示部２２は、前記到着予想時刻を基準とした営業開始間際の施設のユーザへの提示を、目的地到着予想時刻描画部５２による目的地到着予想時刻表示態様制御部５４の前記制御にしたがった表示態様での到着予想時刻判定部５３の判定結果が肯定的となる目的地への到着予想時刻の表示によって行うようになっている。
【０１２７】
なお、到着予想時刻判定部５３は、目的地への到着予想時刻が、前記到着予想時刻を基準とした営業開始間際の時刻、到着予想時刻を基準とした営業終了間際の時刻、到着予想時刻を基準とした営業時間内の時刻および到着予想時刻を基準とした営業時間外の時刻の４種類の時刻のうちのいずれに該当するかの判定を行うようにしてもよい。ただし、前記到着予想時刻を基準とした営業終了間際の時刻とは、営業終了まで所定時間以内の営業終了前の到着予想時刻のことである（以下、同様）。この営業終了間際の時刻を規定する前記所定時間は、コンセプトに応じて種々の時間を選択することができる。また、前記到着予想時刻を基準とした営業時間内の時刻とは、営業時間内の到着予想時刻であって前記到着予想時刻を基準とした営業終了間際の時刻以外の時刻のことである（以下、同様）。さらに、前記到着予想時刻を基準とした営業時間外の時刻とは、営業時間外の到着予想時刻であって前記到着予想時刻を基準とした営業開始間際の時刻以外の時刻のことである（以下、同様）。
【０１２８】
このような４種類の時刻のいずれに該当するかの判定は、目的地についての前記営業時間情報と、到着予想時刻算出部４８によって算出された目的地への到着予想時刻とに基づいて行うことができる。
【０１２９】
そして、目的地到着予想時刻表示態様制御部５４は、これら４種類の時刻についての表示態様を互いに異ならせるように目的地到着予想時刻描画部５２を制御するようにしてもよい。
【０１３０】
この場合に、例えば、目的地到着予想時刻表示態様制御部５４は、前記到着予想時刻を基準とした営業開始間際の時刻を、所定の明色で点滅表示させるように制御してもよい。また、目的地到着予想時刻表示態様制御部５４は、前記到着予想時刻を基準とした営業終了間際の時刻を、所定の暗色で点滅表示させるように制御してもよい。さらに、目的地到着予想時刻表示態様制御部５４は、前記到着予想時刻を基準とした営業時間内の時刻を、所定の明色で常時点灯表示させるように制御してもよい。さらにまた、目的地到着予想時刻表示態様制御部５４は、前記到着予想時刻を基準とした営業時間外の時刻を、所定の暗色で常時点灯表示させるように制御してもよい。
【０１３１】
このような４種類の時刻に分類された状態での各種類ごとの表示態様による目的地への到着予想時刻の表示は、営業時間との時間的な関係に応じた表示態様での目的地への到着予想時刻の表示を行う旨の到着予想時刻の表示モード（以下、第１の到着予想時刻表示モードと称する）がデフォルトあるいは入力操作部５を用いて目的地到着予想時刻表示態様制御部５４に設定されている場合に行うようにしてもよい。
【０１３２】
次に、この第４の提示態様による提示動作の一例について説明する。
【０１３３】
第４の提示態様においては、まず、図１０のステップ６１（ＳＴ６１）に示すように、施設検索部３３により、施設検索条件設定部３２によって設定された前記施設情報に示される施設の属性に関する検索条件を満足する施設を、前記ハードディスクドライブ１４に記憶された前記施設情報を用いて検索する。
【０１３４】
次いで、ステップ６２（ＳＴ６２）において、到着予想時刻判定部５３により、ステップ６１（ＳＴ６１）において検索された施設のうちの任意の１つの施設が目的地設定部１９によって目的地に設定されたか否かを判定し、設定された場合にはステップ６３（ＳＴ６３）に進み、設定されていない場合にはステップ６２（ＳＴ６２）の処理を繰り返す。
【０１３５】
次いで、ステップ６３（ＳＴ６３）において、到着予想時刻判定部５３により、前記第１の到着予想時刻表示モードが設定されているか否かを判定し、設定されている場合にはステップ６４（ＳＴ６４）に進み、設定されていない場合にはステップ７２（ＳＴ７２）に進む。
【０１３６】
ステップ６４（ＳＴ６４）においては、到着予想時刻判定部５３により、到着予想時刻算出部４８によって算出された目的地への到着予想時刻をＲＡＭ１２等から取得してステップ６５（ＳＴ６５）に進む。
【０１３７】
一方、ステップ７２（ＳＴ７２）においては、目的地到着予想時刻描画部５２により、目的地到着予想時刻表示態様制御部５４に設定されている前記第１の到着予想時刻表示モード以外の表示モードで目的地への到着予想時刻の表示を行って処理を終了する。なお、前記第１の到着予想時刻表示モード以外の表示モードには、例えば、目的地への到着予想時刻を営業開始時刻との時間的な関係にかかわらず常に同じ表示態様で表示するモードや、後述する第２または第３の到着予想時刻表示モード等を挙げることができる。
【０１３８】
次いで、ステップ６５（ＳＴ６５）において、到着予想時刻判定部５３により、ステップ６４（ＳＴ６４）において取得された目的地への到着予想時刻が、当該目的地の営業時間内の時刻であるか否かの判定を行い、この判定において否定的な判定結果が得られた場合にはステップ６６（ＳＴ６６）に進み、肯定的な判定結果が得られた場合にはステップ６８（ＳＴ６８）に進む。
【０１３９】
ステップ６６（ＳＴ６６）においては、到着予想時刻判定部５３により、ステップ６４（ＳＴ６４）において取得された目的地への到着予想時刻が、当該目的地の営業開始まで所定時間以内の営業開始前の時刻であるか否かの判定を行い、この判定において肯定的な判定結果が得られた場合にはステップ６７（ＳＴ６７）に進み、否定的な判定結果が得られた場合にはステップ７１（ＳＴ７１）に進む。
【０１４０】
一方、ステップ６８（ＳＴ６８）においては、到着予想時刻判定部５３により、ステップ６４（ＳＴ６４）において取得された目的地への到着予想時刻が、当該目的地の営業終了まで所定時間以内の営業終了前の時刻であるか否かの判定を行い、この判定において肯定的な判定結果が得られた場合にはステップ６９（ＳＴ６９）に進み、否定的な判定結果が得られた場合にはステップ７０（ＳＴ７０）に進む。
【０１４１】
次いで、ステップ６７（ＳＴ６７）において、目的地到着予想時刻描画部５２により、目的地到着予想時刻表示態様制御部５４の前記制御にしたがった表示態様での前記到着予想時刻を基準とした営業開始間際の時刻となる目的地への到着予想時刻の表示を行って処理を終了する。
【０１４２】
また、ステップ７１（ＳＴ７１）において、目的地到着予想時刻描画部５２により、目的地到着予想時刻表示態様制御部５４の前記制御にしたがった表示態様での前記到着予想時刻を基準とした営業時間外の時刻となる目的地への到着予想時刻の表示を行って処理を終了する。
【０１４３】
さらに、ステップ６９（ＳＴ６９）において、目的地到着予想時刻描画部５２により、目的地到着予想時刻表示態様制御部５４の前記制御にしたがった表示態様での前記到着予想時刻を基準とした営業終了間際の時刻となる目的地への到着予想時刻の表示を行って処理を終了する。
【０１４４】
さらにまた、ステップ７０（ＳＴ７０）において、目的地到着予想時刻描画部５２により、目的地到着予想時刻表示態様制御部５４の前記制御にしたがった表示態様での前記到着予想時刻を基準とした営業時間内の時刻となる目的地への到着予想時刻の表示を行って処理を終了する。
【０１４５】
（営業開始間際の施設の第５の提示態様）
施設提示部２２による前記営業開始間際の施設の第５の提示態様は、所定の時刻としての現在の時刻を基準とした営業開始間際の施設を、自車両がその施設に差し掛かった場合にユーザに提示する態様である。
【０１４６】
第５の提示態様による提示の具現化には、前述した自車位置算出部１７および現在時刻取得部２４が用いられるようになっている。
【０１４７】
この他にも、第５の提示態様による提示を具現化するための構成として、図３に示すように、施設提示部２２は、その機能ブロックの１つとして、第１の自車周辺領域内該当施設抽出手段としての自車周辺領域内該当施設抽出部５６を有している。この自車周辺領域内該当施設抽出部５６は、ハードディスクドライブ１４に記憶された自車位置算出部１７によって算出された自車位置の周辺の所定領域内に存在する施設についての前記営業時間情報と、現在時刻取得部２４によって取得された現在の時刻とに基づいて、当該自車位置の周辺の所定領域内に存在する施設の中から第１の自車周辺領域内該当施設を抽出するようになっている。ただし、前記第１の自車周辺領域内該当施設とは、当該自車位置の周辺の所定領域内に存在する施設のうちの現在の時刻が営業開始まで所定時間以内の営業開始前の時刻となる現在の時刻を基準とした営業開始間際の施設のことをいう（以下、同様）。
【０１４８】
また、図３に示すように、施設提示部２２は、その機能ブロックの１つとして、第１の自車周辺領域内該当施設案内手段としての自車周辺領域内該当施設案内部５７を有している。この自車周辺領域内該当施設案内部５７は、自車位置算出部１７によって算出された自車位置が、自車周辺領域内該当施設抽出部５６によって抽出された前記第１の自車周辺領域内該当施設の位置まで所定の距離以内の位置の場合に、前記第１の自車周辺領域内該当施設を画像および音声の少なくとも一方によってユーザに案内するようになっている。
【０１４９】
すなわち、施設提示部２２は、前記所定の時刻としての現在の時刻を基準とした営業開始間際の施設のユーザへの提示を、自車周辺領域内該当施設案内部５７による前記第１の自車周辺領域内該当施設の案内によって行うようになっている。この案内は、「経路沿いにまもなく営業開始する施設が見つかりました」といったメッセージを音声案内またはディスプレイ６に表示することによって行うようにしてもよい。また、この案内は、経路誘導部２１による経路誘導にともなって行うようにしてもよいし、または、経路誘導とは独立して（経路誘導の有無にかかわらず）行うようにしてもよい。
【０１５０】
次に、この第５の提示態様による提示動作の一例について説明する。
【０１５１】
第５の提示態様においては、まず、図１１のステップ８１（ＳＴ８１）に示すように、自車位置算出部１７によって自車位置を算出する。
【０１５２】
次いで、ステップ８２（ＳＴ８２）において、自車周辺領域内該当施設抽出部５６により、ステップ８１（ＳＴ８１）において算出された自車位置の周辺の所定領域内に存在する施設についての前記営業時間情報をハードディスクドライブ１４から読み出す。
【０１５３】
次いで、ステップ８３（ＳＴ８３）において、自車周辺領域内該当施設抽出部５６により、現在時刻取得部２４によって取得された現在の時刻を現在時刻取得部２４から取得する。
【０１５４】
次いで、ステップ８４（ＳＴ８４）において、自車周辺領域内該当施設抽出部５６により、前記第１の自車周辺領域内該当施設の抽出を行う。
【０１５５】
次いで、ステップ８５（ＳＴ８５）において、自車周辺領域内該当施設案内部５７により、ステップ８４（ＳＴ８４）において前記第１の自車周辺領域内該当施設が抽出されたか否かを判定し、抽出された場合にはステップ８６（ＳＴ８６）に進み抽出されなかった場合には処理を終了する。
【０１５６】
次いで、ステップ８６（ＳＴ８６）において、自車周辺領域内該当施設案内部５７により、自車位置がステップ８４（ＳＴ８４）において抽出された前記第１の自車周辺領域内該当施設まで所定の距離以内の位置であるか否かの判定を行い、この判定において肯定的な判定結果が得られた場合にはステップ８７（ＳＴ８７）に進み、否定的な判定結果が得られた場合には処理を終了する。なお、このステップ８６（ＳＴ８６）における判定は、ステップ８４（ＳＴ８４）において抽出された前記第１の自車周辺領域内該当施設が複数存在する場合には、各第１の自車周辺領域内該当施設ごとに行う。
【０１５７】
次いで、ステップ８７（ＳＴ８７）において、自車周辺領域内該当施設案内部５７により、ステップ８６（ＳＴ８６）において肯定的な判定結果が得られた前記第１の自車周辺領域内該当施設についての案内を行って処理を終了する。
【０１５８】
なお、本発明は、前述した第１乃至第５の提示態様による前記営業開始間際の施設の提示を具現化するための各構成をすべて備えたものであってもよいし、各構成を選択的に備えたものであってもよい。
【０１５９】
以上述べたように、本実施形態によれば、前記所定の時刻としての現在の時刻または到着予想時刻を基準とした営業開始間際の施設を第１〜第５の提示態様によってユーザに提示することができるので、ユーザが、当該営業開始間際の施設を簡便かつ確実に把握することができる。
【０１６０】
（第２実施形態）
次に、本発明に係る車載用ナビゲーション装置の第２実施形態について、図１２を参照して説明する。
【０１６１】
なお、第１実施形態と基本的な構成が同一もしくはこれに類する箇所については、第１実施形態と同様の符号を用いて説明する。
【０１６２】
本実施形態における車載用ナビゲーション装置１は、第１実施形態の構成をすべて具備した上で、更に、付加的な構成を有している。
【０１６３】
すなわち、本実施形態において、施設提示部２２は、前述した各提示態様による前記営業開始間際の施設の提示に加えて、更に、所定の時刻がタイムサービスの開始まで所定時間以内のタイムサービスの開始前の時刻となる当該所定の時刻を基準としたタイムサービスの開始間際の施設を複数の提示態様によってユーザに提示するようになっている。
【０１６４】
ここで、タイムサービスとは、デパートにおいて実施されるタイムセールやレストランにおいて実施されるランチタイムサービス等の各種の施設において通常の営業時間内に時間を限定して実施されるサービスをいうものとする（以下、同様）。
【０１６５】
以下、前記タイムサービスの開始間際の施設の複数の提示態様について、各提示態様による提示を具現化するための構成とともに説明する。
【０１６６】
（タイムサービスの開始間際の施設の第１の提示態様）
施設提示部２２による前記タイムサービスの開始間際の施設の第１の提示態様は、地図上のアイコンの表示態様の制御によって、所定の時刻としての現在の時刻がタイムサービスの開始まで所定時間以内のタイムサービスの開始前の時刻となる現在の時刻を基準としたタイムサービスの開始間際の施設をユーザに提示する態様である。このタイムサービスの開始間際の施設の第１の提示態様は、前記営業開始間際の施設の第１の提示態様に対して提示対象が異なるだけで提示方法は同じである。
【０１６７】
この第１の提示態様による提示を具現化するための構成として、本実施形態においては、ハードディスクドライブ１４が、タイムサービス情報記憶手段としても機能するようになっている。すなわち、図１２に示すように、ハードディスクドライブ１４には、タイムサービスが実施される施設についてのタイムサービスに関する情報であって、少なくともタイムサービスの実施時間（すなわち、タイムサービスの開始時刻から終了時刻までの時間）を示す情報であるタイムサービス情報が、当該タイムサービスが実施される施設についての前記施設情報と対応した状態で記憶されている。
【０１６８】
図１２においては、施設Ａおよび施設Ｃがタイムサービスが実施される施設であり、これらの施設は、その施設情報とそのタイムサービス情報とが互いに対応する識別コードを付与されること等によって互いに対応付けられた（関連付けられた）状態で地図データの一部としてハードディスクドライブ１４に記憶されている。
【０１６９】
また、図１２におけるタイムサービス情報は、タイムサービスの実施時間（以下、タイムサービス実施時間と称する）とともにタイムサービスのサービス内容を示す情報とされている。なお、図１２における施設Ｃのタイムサービス情報に示すように、前記タイムサービス情報に示される前記タイムサービス実施時間は、タイムサービスの実施期間（すなわち、前記タイムサービスの開始年月日から終了年月日までの期間）をともなうものであってもよい。この場合には、期間限定で前記タイムサービス実施時間内にタイムサービスが実施されることになる。
【０１７０】
このようなタイムサービス情報は、地図データの作成時あるいは更新時に地図データに組み込まれる場合もあるし、図示しないタイムサービス情報の配信サーバ（情報センタ）から配信されて地図データに組み込まれる場合もある。
【０１７１】
さらに、本実施形態においては、地図領域内該当施設抽出部２５が、第２の地図領域内該当施設抽出手段としても機能するようになっている。すなわち、地図領域内該当施設抽出部２５は、ハードディスクドライブ１４に記憶された前記地図領域内に存在する施設についての前記施設情報、前記タイムサービス情報および現在時刻取得部２４によって取得された現在の時刻に基づいて、前記地図領域内に存在する施設の中から第２の地図領域内該当施設を抽出するようになっている。
【０１７２】
ただし、前記第２の地図領域内該当施設とは、前記地図領域内に存在する施設のうちの現在の時刻がタイムサービスの開始まで所定時間以内のタイムサービスの開始前の時刻となる現在の時刻を基準としたタイムサービスの開始間際の施設のことをいう（以下、同様）。なお、前記第２の地図領域内該当施設を規定する前記所定時間は、コンセプトに応じて種々の時間を選択することができる。この所定時間は、入力操作部５を用いた画面入力によって設定可能とされていてもよい。
【０１７３】
また、本実施形態においては、アイコン表示態様制御部２７が、第２のアイコン表示態様制御手段としても機能するようになっている。すなわち、アイコン表示態様制御部２７は、地図領域内該当施設抽出部２５によって抽出された前記第２の地図領域内該当施設についてのアイコンの表示態様を、前記第２の地図領域内該当施設以外の前記地図領域内に存在する施設についてのアイコンの表示態様と異ならせるように施設アイコン描画部２３を制御するようになっている。
【０１７４】
そして、第１の提示態様において、施設提示部２２は、前記現在の時刻を基準としたタイムサービスの開始間際の施設の提示を、施設アイコン描画部２３によるアイコン表示態様制御部２７の前記制御にしたがった表示態様での前記第２の地図領域内該当施設を示すアイコンの表示によって行うようになっている。
【０１７５】
なお、地図領域内該当施設抽出部２５は、前記地図領域内に存在する施設を、前記第２の地図領域内該当施設、現在の時刻を基準としたタイムサービスの終了間際の施設、現在の時刻を基準としたタイムサービス実施中の施設および現在の時刻を基準としたタイムサービス実施時間外の施設の４種類の施設に分類することによって、前記第２の地図領域内該当施設を含めた４種類の施設を同時に抽出するようにしてもよい。ただし、前記現在の時刻を基準としたタイムサービスの終了間際の施設とは、前記地図領域内に存在する施設のうちの現在の時刻がタイムサービスの終了まで所定時間以内のタイムサービスの終了前の時刻となる施設のことである（以下、同様）。このタイムサービスの終了間際の施設を規定する前記所定時間は、コンセプトに応じて種々の時間を選択することができる。また、前記現在の時刻を基準としたタイムサービス実施中の施設とは、前記地図領域内に存在する施設のうちの現在の時刻がタイムサービスの実施時間内となる施設であって、前記現在の時刻を基準としたタイムサービスの終了間際の施設以外の施設のことである（以下、同様）。さらに、前記現在の時刻を基準としたタイムサービス実施時間外の施設とは、前記地図領域内に存在する施設のうちの現在の時刻がタイムサービスの実施時間外となる施設であって、前記第２の地図領域内該当施設以外の施設のことである（以下、同様）。
【０１７６】
このような４種類の施設への分類および抽出は、ハードディスクドライブ１４に記憶された前記地図領域内に存在する施設についての前記タイムサービス情報と、現在時刻取得部２４によって取得された現在の時刻とに基づいて行うことができる。なお、前記タイムサービス情報を有しない施設すなわちタイムサービスが実施されない施設については、常にタイムサービスの実施時間外であるとみなして前記現在の時刻を基準としたタイムサービス実施時間外の施設に含めて扱えばよい。
【０１７７】
そして、アイコン表示態様制御部２７は、これら４種類の施設についての前記アイコンの表示態様を互いに異ならせるように施設アイコン描画部２３を制御するようにしてもよい。アイコンの表示態様を異ならせる方法としては、図４に示したような表示方法（アイコンの表示色や点滅の有無を互いに異ならせる方法）等を用いることができる。この場合には、前記地図領域内に存在する施設が、前記４種類の施設に分類された状態で、互いに異なる提示態様でユーザに提示されることになる。
【０１７８】
ただし、このような４種類の施設の提示は、前記営業開始間際の施設の第１の提示態様による提示（図４参照）と同時に行われた場合にはユーザに混乱を招く場合もあるので、この４種類の施設の提示は、現在の時刻とタイムサービスの実施時間との時間的な関係に応じた表示態様でのアイコンの表示を行う旨のアイコンの表示モード（すなわち、第２のアイコン表示モード）がデフォルトあるいは入力操作部５を用いた入力操作によってアイコン表示態様制御部２７に設定されている場合に行うようにしてもよい。
【０１７９】
（タイムサービスの開始間際の施設の第２の提示態様）
施設提示部２２による前記タイムサービスの開始間際の施設の第２の提示態様は、施設の検索結果の表示態様の制御によって、前記現在の時刻を基準としたタイムサービスの開始間際の施設をユーザに提示する態様である。
【０１８０】
この第２の提示態様による提示を具現化するための構成として、本実施形態において、検索施設内現時該当施設抽出部３５は、第２の検索施設内現時該当施設抽出手段としても機能するようになっている。すなわち、検索施設内現時該当施設抽出部３５は、ハードディスクドライブ１４に記憶された前記タイムサービス情報と、現在時刻取得部２４によって取得された現在の時刻とに基づいて、施設検索部３３によって検索された施設の中から第２の検索施設内現時該当施設を抽出するようになっている。ただし、前記第２の検索施設内現時該当施設とは、施設検索部３３によって検索された施設のうちの現在の時刻がタイムサービスの開始まで所定時間以内のタイムサービスの開始前の時刻となる現在の時刻を基準としたタイムサービスの開始間際の施設をいう（以下、同様）。なお、前記第２の検索施設内現時該当施設を規定する前記所定時間は、コンセプトに応じて種々の時間を選択することができる。この所定時間は、入力操作部５を用いた画面入力によって設定可能とされていてもよい。
【０１８１】
また、本実施形態において、検索施設内現時該当施設表示態様制御部３６は、第２の検索施設内現時該当施設表示態様制御手段としても機能するようになっている。すなわち、検索施設内現時該当施設表示態様制御部３６は、検索施設内現時該当施設抽出部３５によって抽出された前記第２の検索施設内現時該当施設についての前記施設検索結果の表示態様を、前記第２の検索施設内現時該当施設以外の施設検索部３３によって検索された施設についての前記施設検索結果の表示態様と異ならせるように施設検索結果描画部３４を制御するようになっている。
【０１８２】
そして、第２の提示態様において、施設提示部２２は、前記現在の時刻を基準としたタイムサービスの開始間際の施設のユーザへの提示を、施設検索結果描画部３４による検索施設内現時該当施設表示態様制御部３６の前記制御にしたがった表示態様での前記第２の検索施設内現時該当施設についての前記施設検索結果の表示によって行うようになっている。
【０１８３】
なお、検索施設内現時該当施設抽出部３５は、施設検索部３３によって検索された施設を、前記第２の検索施設内現時該当施設、現在の時刻を基準としたタイムサービスの終了間際の施設、現在の時刻を基準としたタイムサービス実施中の施設および現在の時刻を基準としたタイムサービス実施時間外の施設の４種類の施設に分類することによって、前記第２の検索施設内現時該当施設を含めた４種類の施設を同時に抽出するようにしてもよい。ただし、前記現在の時刻を基準としたタイムサービスの終了間際の施設とは、前記施設検索部３３によって検索された施設のうちの現在の時刻がタイムサービスの終了まで所定時間以内のタイムサービスの終了前の時刻となる施設のことである（以下、同様）。このタイムサービスの終了間際の施設を規定する前記所定時間は、コンセプトに応じて種々の時間を選択することができる。また、前記現在の時刻を基準としたタイムサービス実施中の施設とは、前記施設検索部３３によって検索された施設のうちの現在の時刻がタイムサービスの実施時間内となる施設であって、前記現在の時刻を基準としたタイムサービスの終了間際の施設以外の施設のことである（以下、同様）。さらに、前記現在の時刻を基準としたタイムサービス実施時間外の施設とは、施設検索部３３によって検索された施設のうちの現在の時刻がタイムサービスの実施時間外となる施設であって、前記第２の検索施設内現時該当施設以外の施設のことである（以下、同様）。
【０１８４】
このような４種類の施設への分類および抽出は、ハードディスクドライブ１４に記憶された前記タイムサービス情報と、現在時刻取得部２４によって取得された現在の時刻とに基づいて行うことができる。
【０１８５】
そして、検索施設内現時該当施設表示態様制御部３６は、これら４種類の施設についての前記施設検索結果の表示態様を互いに異ならせるように施設検索結果描画部３４を制御するようにしてもよい。前記施設検索結果の表示態様を異ならせる方法としては、図６に示したような表示方法（施設検索結果を示す項目の表示色や点滅の有無を互いに異ならせる方法）等を用いることができる。この場合には、施設検索部３３によって検索された施設が、前記４種類の施設に分類された状態で、互いに異なる提示態様でユーザに提示されることになる。
【０１８６】
ただし、このような４種類の施設の提示は、前記営業開始間際の施設の第２の提示態様による提示（図６参照）または第３の提示態様による提示と同時に行われた場合にはユーザに混乱を招く場合もあるので、この４種類の施設の提示は、現在の時刻とタイムサービスの実施時間との時間的な関係に応じた表示態様での前記施設検索結果の表示を行う旨の前記施設検索結果の表示モード（すなわち、第３の施設検索結果表示モード）がデフォルトあるいは入力操作部５を用いた入力操作によって検索施設内現時該当施設表示態様制御部３６に設定されている場合に行うようにしてもよい。
【０１８７】
（タイムサービスの開始間際の施設の第３の提示態様）
施設提示部２２による前記タイムサービスの開始間際の施設の第３の提示態様は、施設の検索結果の表示態様の制御によって、所定の時刻としての到着予想時刻を基準としたタイムサービスの開始間際の施設をユーザに提示する態様である。
【０１８８】
この第３の提示態様による提示を具現化するための構成として、本実施形態において、検索施設内到着時該当施設抽出部４９は、第２の検索施設内到着時該当施設抽出手段としても機能するようになっている。すなわち、検索施設内到着時該当施設抽出部４９は、ハードディスクドライブ１４に記憶された前記タイムサービス情報と、到着予想時刻算出部４８によって算出された到着予想時刻とに基づいて、施設検索部３３によって検索された施設の中から第２の検索施設内到着時該当施設を抽出するようになっている。ただし、前記第２の検索施設内到着時該当施設とは、施設検索部３３によって検索された施設のうちの到着予想時刻がタイムサービスの開始まで所定時間以内のタイムサービスの開始前の時刻となる到着予想時刻を基準としたタイムサービスの開始間際の施設をいう（以下、同様）。なお、前記第２の検索施設内到着時該当施設を規定する前記所定時間は、コンセプトに応じて種々の時間を選択することができる。この所定時間は、入力操作部５を用いた画面入力によって設定可能とされていてもよい。
【０１８９】
また、本実施形態において、検索施設内到着時該当施設表示態様制御部５０は、第２の検索施設内到着時該当施設表示態様制御手段としても機能するようになっている。すなわち、検索施設内到着時該当施設表示態様制御部５０は、検索施設内到着時該当施設抽出部４９によって抽出された前記第２の検索施設内到着時該当施設についての前記施設検索結果の表示態様を、前記第２の検索施設内到着時該当施設以外の施設検索部３３によって検索された施設についての前記施設検索結果の表示態様と異ならせるように施設検索結果描画部３４を制御するようになっている。
【０１９０】
そして、第３の提示態様において、施設提示部２２は、前記到着予想時刻を基準としたタイムサービスの開始間際の施設のユーザへの提示を、施設検索結果描画部３４による検索施設内到着時該当施設表示態様制御部５０の前記制御にしたがった表示態様での前記第２の検索施設内到着時該当施設についての前記施設検索結果の表示によって行うようになっている。
【０１９１】
なお、検索施設内到着時該当施設抽出部４９は、施設検索部３３によって検索された施設を、前記第２の検索施設内到着時該当施設、到着予想時刻を基準としたタイムサービスの終了間際の施設、到着予想時刻を基準としたタイムサービス実施中の施設および到着予想時刻を基準としたタイムサービス実施時間外の施設の４種類の施設に分類することによって、前記第２の検索施設内到着時該当施設を含めた４種類の施設を同時に抽出するようにしてもよい。ただし、前記到着予想時刻を基準としたタイムサービスの終了間際の施設とは、前記施設検索部３３によって検索された施設のうちの到着予想時刻がタイムサービスの終了まで所定時間以内のタイムサービスの終了前の時刻となる施設のことである（以下、同様）。このタイムサービスの終了間際の施設を規定する前記所定時間は、コンセプトに応じて種々の時間を選択することができる。また、前記到着予想時刻を基準としたタイムサービス実施中の施設とは、前記施設検索部３３によって検索された施設のうちの到着予想時刻がタイムサービスの実施時間内となる施設であって、前記到着予想時刻を基準としたタイムサービスの終了間際の施設以外の施設のことである（以下、同様）。さらに、前記到着予想時刻を基準としたタイムサービス実施時間外の施設とは、施設検索部３３によって検索された施設のうちの到着予想時刻がタイムサービスの実施時間外となる施設であって、前記第２の検索施設内到着時該当施設以外の施設のことである（以下、同様）。
【０１９２】
このような４種類の施設への分類および抽出は、ハードディスクドライブ１４に記憶された前記タイムサービス情報と、到着予想時刻算出部４８によって算出された到着予想時刻とに基づいて行うことができる。
【０１９３】
そして、検索施設内到着時該当施設表示態様制御部５０は、これら４種類の施設についての前記施設検索結果の表示態様を互いに異ならせるように施設検索結果描画部３４を制御するようにしてもよい。前記施設検索結果の表示態様を異ならせる方法としては、図６に示したような表示方法（施設検索結果を示す項目の表示色や点滅の有無を互いに異ならせる方法）等を用いることができる。この場合には、施設検索部３３によって検索された施設が、前記４種類の施設に分類された状態で、互いに異なる提示態様でユーザに提示されることになる。
【０１９４】
ただし、このような４種類の施設の提示は、前記営業開始間際の施設の第２の提示態様または第３の提示態様による提示もしくは前記タイムサービスの開始間際の施設の第２の提示態様による提示と同時に行われた場合にはユーザに混乱を招く場合もある。したがって、当該４種類の施設の提示は、到着予想時刻とタイムサービスの実施時間との時間的な関係に応じた表示態様での前記施設検索結果の表示を行う旨の前記施設検索結果の表示モード（すなわち、第４の施設検索結果表示モード）がデフォルトあるいは入力操作部５を用いた入力操作によって検索施設内現時該当施設表示態様制御部３６に設定されている場合に行うようにしてもよい。
【０１９５】
（タイムサービスの開始間際の施設の第４の提示態様）
施設提示部２２による前記タイムサービスの開始間際の施設の第４の提示態様は、到着予想時刻の表示態様の制御によって、所定の時刻としての到着予想時刻を基準としたタイムサービスの開始間際の施設をユーザに提示する態様である。
【０１９６】
この第４の提示態様による提示を具現化するための構成として、本実施形態において、到着予想時刻判定部５３は、第２の到着予想時刻判定手段としても機能するようになっている。すなわち、到着予想時刻判定部５３は、ハードディスクドライブ１４に記憶された前記タイムサービス情報に基づいて、到着予想時刻算出部４８によって算出された目的地への到着予想時刻が、到着予想時刻を基準としたタイムサービスの開始間際の時刻となるか否かの判定を行うようになっている。ただし、前記到着予想時刻を基準としたタイムサービスの開始間際の時刻とは、目的地のタイムサービスの開始時刻まで所定時間以内のタイムサービスの開始前の到着予想時刻のことをいう（以下、同様）。なお、このタイムサービスの開始間際の時刻を規定する前記所定時間は、コンセプトに応じて種々の時間を選択することができる。この所定時間は、入力操作部５を用いた画面入力によって設定可能とされていてもよい。
【０１９７】
さらに、本実施形態において、目的地到着予想時刻表示態様制御部５４は、第２の目的地到着予想時刻表示態様制御手段としても機能するようになっている。すなわち、目的地到着予想時刻表示態様制御部５４は、目的地到着予想時刻描画部５２によって表示される目的地への到着予想時刻の表示態様を、到着予想時刻判定部５３の判定結果が肯定的となる場合と否定的となる場合とで互いに異ならせるように目的地到着予想時刻描画部５２を制御するようになっている。
【０１９８】
そして、第４の提示態様において、施設提示部２２は、前記到着予想時刻を基準としたタイムサービスの開始間際の施設のユーザへの提示を、目的地到着予想時刻描画部５２による目的地到着予想時刻表示態様制御部５４の前記制御にしたがった表示態様での到着予想時刻判定部５３の判定結果が肯定的となる目的地への到着予想時刻の表示によって行うようになっている。
【０１９９】
なお、到着予想時刻判定部５３は、目的地への到着予想時刻が、前記到着予想時刻を基準としたタイムサービスの開始間際の時刻、到着予想時刻を基準としたタイムサービスの終了間際の時刻、到着予想時刻を基準としたタイムサービスの実施時間内の時刻および到着予想時刻を基準としたタイムサービスの実施時間外の時刻の４種類の時刻のうちのいずれに該当するかの判定を行うようにしてもよい。ただし、前記到着予想時刻を基準としたタイムサービスの終了間際の時刻とは、タイムサービスの終了まで所定時間以内のタイムサービスの終了前の到着予想時刻のことである（以下、同様）。また、前記到着予想時刻を基準としたタイムサービスの実施時間内の時刻とは、タイムサービスの実施時間内の到着予想時刻であって前記到着予想時刻を基準としたタイムサービスの終了間際の時刻以外の時刻のことである（以下、同様）。さらに、前記到着予想時刻を基準としたタイムサービスの実施時間外の時刻とは、タイムサービスの実施時間外の到着予想時刻であって前記到着予想時刻を基準としたタイムサービスの開始間際の時刻以外の時刻のことである（以下、同様）。
【０２００】
このような４種類の時刻のいずれに該当するかの判定は、目的地についての前記タイムサービス情報と、到着予想時刻算出部４８によって算出された目的地への到着予想時刻とに基づいて行うことができる。
【０２０１】
そして、目的地到着予想時刻表示態様制御部５４は、これら４種類の時刻についての表示態様を互いに異ならせるように目的地到着予想時刻描画部５２を制御するようにしてもよい。具体的な制御方法としては、前記営業開始間際の施設の第４の提示態様における制御方法と同様の方法を用いればよい。
【０２０２】
ただし、このような到着予想時刻の表示は、営業開始間際の施設の第４の提示態様と同時に行われた場合にはユーザに混乱を招く場合もある。そこで、このような４種類の時刻に分類された状態での各種類ごとの表示態様による目的地への到着予想時刻の表示は、タイムサービス実施時間との時間的な関係に応じた表示態様での目的地への到着予想時刻の表示を行う旨の到着予想時刻の表示モード（すなわち、第２の到着予想時刻表示モードと称する）がデフォルトあるいは入力操作部５を用いた入力操作によって目的地到着予想時刻表示態様制御部５４に設定されている場合に行うようにしてもよい。
【０２０３】
（タイムサービスの開始間際の施設の第５の提示態様）
施設提示部２２による前記タイムサービスの開始間際の施設の第５の提示態様は、所定の時刻としての現在の時刻を基準としたタイムサービスの開始間際の施設を、自車両がその施設に差し掛かった場合にユーザに提示する態様である。
【０２０４】
この第５の提示態様による提示を具現化するための構成として、本実施形態において、自車周辺領域内該当施設抽出部５６は、第２の自車周辺領域内該当施設抽出手段としても機能するようになっている。すなわち、自車周辺領域内該当施設抽出部５６は、ハードディスクドライブ１４に記憶された前記タイムサービス情報および現在時刻取得部２４によって取得された現在の時刻に基づいて、自車位置算出部１７によって算出された自車位置の周辺の所定領域内に存在する施設の中から第２の自車周辺領域内該当施設を抽出するようになっている。ただし、前記第２の自車周辺領域内該当施設とは、当該自車位置の周辺の所定領域内に存在する施設のうちの現在の時刻がタイムサービスの開始まで所定時間以内のタイムサービスの開始前の時刻となる現在の時刻を基準としたタイムサービスの開始間際の施設のことをいう（以下、同様）。
【０２０５】
また、本実施形態において、自車周辺領域内該当施設案内部５７は、第２の自車周辺領域内該当施設案内手段としても機能するようになっている。すなわち、自車周辺領域内該当施設案内部５７は、自車位置算出部１７によって算出された自車位置が、自車周辺領域内該当施設抽出部５６によって抽出された前記第２の自車周辺領域内該当施設の位置まで所定の距離以内の位置の場合に、前記第２の自車周辺領域内該当施設を画像および音声の少なくとも一方によってユーザに案内するようになっている。
【０２０６】
すなわち、施設提示部２２は、前記所定の時刻としての現在の時刻を基準としたタイムサービスの開始間際の施設のユーザへの提示を、自車周辺領域内該当施設案内部５７による前記第２の自車周辺領域内該当施設の案内によって行うようになっている。この案内は、「経路沿いにまもなくタイムサービスを開始する施設が見つかりました」といったメッセージを音声案内またはディスプレイ６に表示することによって行うようにしてもよい。また、この案内は、経路誘導部２１による経路誘導にともなって行うようにしてもよいし、または、経路誘導とは独立して（経路誘導の有無にかかわらず）行うようにしてもよい。
【０２０７】
以上述べたように、本実施形態によれば、前記所定の時刻としての現在の時刻または到着予想時刻を基準としたタイムサービスの開始間際の施設を第１〜第５の提示態様によってユーザに提示することができるので、ユーザが、当該タイムサービスの開始間際の施設を簡便かつ確実に把握することができる。
【０２０８】
（第３実施形態）
次に、本発明に係る車載用ナビゲーション装置の第３実施形態について、図１３を参照して説明する。
【０２０９】
なお、第１実施形態と基本的な構成が同一もしくはこれに類する箇所については、第１実施形態と同様の符号を用いて説明する。
【０２１０】
本実施形態における車載用ナビゲーション装置１は、第１実施形態の構成をすべて具備した上で、更に、以下に示すような付加的な構成を有している。なお、本実施形態における車載用ナビゲーション装置１は、第２実施形態の構成をも具備するものであってもよい。
【０２１１】
本実施形態において、施設提示部２２は、前述した各提示態様による前記営業開始間際の施設の提示に加えて、更に、所定の時刻がオーダーストップまで所定時間以内のオーダーストップ前の時刻となる当該所定の時刻を基準としたオーダーストップ間際の施設を複数の提示態様によってユーザに提示するようになっている。
【０２１２】
以下、前記オーダーストップ間際の施設の複数の提示態様について、各提示態様による提示を具現化するための構成とともに説明する。
【０２１３】
（オーダーストップ間際の施設の第１の提示態様）
施設提示部２２による前記オーダーストップ間際の施設の第１の提示態様は、地図上のアイコンの表示態様の制御によって、所定の時刻としての現在の時刻がオーダーストップまで所定時間以内のオーダーストップ前の時刻となる現在の時刻を基準としたオーダーストップ間際の施設をユーザに提示する態様である。このオーダーストップ間際の施設の第１の提示態様は、前記営業開始間際の施設の第１の提示態様に対して提示対象が異なるだけで提示方法は同じである。
【０２１４】
この第１の提示態様による提示を具現化するための構成として、本実施形態においては、図１３に示すように、ハードディスクドライブ１４に記憶された前記営業時間情報のうち、オーダーストップが行われる施設についての前記営業時間情報が、オーダーストップの時刻をともなう情報とされている。図１３においては、施設Ａについての前記営業時間情報が、オーダーストップの時刻をともなっている。
【０２１５】
そして、本実施形態においては、地図領域内該当施設抽出部２５が、第３の地図領域内該当施設抽出手段としても機能するようになっている。すなわち、地図領域内該当施設抽出部２５は、ハードディスクドライブ１４に記憶された前記地図領域内に存在する施設についての前記オーダーストップの時刻をともなう営業時間情報および現在時刻取得部２４によって取得された現在の時刻に基づいて、前記地図領域内に存在する施設の中から第３の地図領域内該当施設を抽出するようになっている。
【０２１６】
ただし、前記第３の地図領域内該当施設とは、前記地図領域内に存在する施設のうちの現在の時刻がオーダーストップまで所定時間以内のオーダーストップ前の時刻となる現在の時刻を基準としたオーダーストップ間際の施設のことをいう（以下、同様）。なお、前記第３の地図領域内該当施設を規定する前記所定時間は、コンセプトに応じて種々の時間を選択することができる。この所定時間は、入力操作部５を用いた画面入力によって設定可能とされていてもよい。
【０２１７】
また、本実施形態においては、アイコン表示態様制御部２７が、第３のアイコン表示態様制御手段としても機能するようになっている。すなわち、アイコン表示態様制御部２７は、地図領域内該当施設抽出部２５によって抽出された前記第３の地図領域内該当施設についてのアイコンの表示態様を、前記第３の地図領域内該当施設以外の前記地図領域内に存在する施設についてのアイコンの表示態様と異ならせるように施設アイコン描画部２３を制御するようになっている。
【０２１８】
そして、第１の提示態様において、施設提示部２２は、前記現在の時刻を基準としたオーダーストップ間際の施設の提示を、施設アイコン描画部２３によるアイコン表示態様制御部２７の前記制御にしたがった表示態様での前記第３の地図領域内該当施設を示すアイコンの表示によって行うようになっている。
【０２１９】
なお、前記第３の地図領域内該当施設についてのアイコンの表示態様を前記第３の地図領域内該当施設以外の前記地図領域内に存在する施設についてのアイコンの表示態様と異ならせる方法としては、図４に示したような表示方法（アイコンの表示色や点滅の有無を互いに異ならせる方法）等を用いることができる。
【０２２０】
ただし、このような４種類の施設の提示は、第１実施形態における前記営業開始間際の施設の第１の提示態様による提示や第２実施形態における前記タイムサービスの開始間際の施設の第１の提示態様による提示と同時に行われた場合にはユーザに混乱を招く場合もある。したがって、本実施形態における前記４種類の施設の提示は、現在の時刻とオーダーストップの時刻との時間的な関係に応じた表示態様でのアイコンの表示を行う旨のアイコンの表示モード（すなわち、第３のアイコン表示モード）がデフォルトあるいは入力操作部５を用いた入力操作によってアイコン表示態様制御部２７に設定されている場合に行うようにしてもよい。
【０２２１】
（オーダーストップ間際の施設の第２の提示態様）
施設提示部２２による前記オーダーストップ間際の施設の第２の提示態様は、施設の検索結果の表示態様の制御によって、現在の時刻を基準としたオーダーストップ間際の施設をユーザに提示する態様である。
【０２２２】
この第２の提示態様による提示を具現化するための構成として、本実施形態において、検索施設内現時該当施設抽出部３５は、第３の検索施設内現時該当施設抽出手段としても機能するようになっている。すなわち、検索施設内現時該当施設抽出部３５は、ハードディスクドライブ１４に記憶された施設検索部３３によって検索された施設についての前記オーダーストップの時刻をともなう前記営業時間情報と、現在時刻取得部２４によって取得された現在の時刻とに基づいて、施設検索部３３によって検索された施設の中から第３の検索施設内現時該当施設を抽出するようになっている。ただし、前記第３の検索施設内現時該当施設とは、施設検索部３３によって検索された施設のうちの現在の時刻がオーダーストップまで所定時間以内のオーダーストップ前の時刻となる現在の時刻を基準としたオーダーストップ間際の施設をいう（以下、同様）。なお、前記第３の検索施設内現時該当施設を規定する前記所定時間は、コンセプトに応じて種々の時間を選択することができる。この所定時間は、入力操作部５を用いた画面入力によって設定可能とされていてもよい。
【０２２３】
また、本実施形態において、検索施設内現時該当施設表示態様制御部３６は、第３の検索施設内現時該当施設表示態様制御手段としても機能するようになっている。すなわち、検索施設内現時該当施設表示態様制御部３６は、検索施設内現時該当施設抽出部３５によって抽出された前記第３の検索施設内現時該当施設についての前記施設検索結果の表示態様を、前記第３の検索施設内現時該当施設以外の施設検索部３３によって検索された施設についての前記施設検索結果の表示態様と異ならせるように施設検索結果描画部３４を制御するようになっている。なお、前記施設検索結果の表示態様を異ならせる方法としては、図６に示したような表示方法（施設検索結果を示す項目の表示色や点滅の有無を互いに異ならせる方法）等を用いることができる。
【０２２４】
そして、第３の提示態様において、施設提示部２２は、前記現在の時刻を基準としたオーダーストップの開始間際の施設のユーザへの提示を、施設検索結果描画部３４による検索施設内現時該当施設表示態様制御部３６の前記制御にしたがった表示態様での前記第３の検索施設内現時該当施設を示す前記施設検索結果の表示によって行うようになっている。
【０２２５】
ただし、本提示態様における前記オーダーストップ間際の施設の提示は、第１実施形態における前記営業開始間際の施設の第２の提示態様または第３の提示態様による提示もしくは第２実施形態における前記タイムサービスの開始間際の施設の第２の提示態様または第３の提示態様による提示と同時に行われた場合にはユーザに混乱を招く場合もある。したがって、本提示態様における前記オーダーストップ間際の施設の提示は、現在の時刻とオーダーストップの時刻との時間的な関係に応じた表示態様での前記施設検索結果の表示を行う旨の前記施設検索結果の表示モード（すなわち、第５の施設検索結果表示モード）がデフォルトあるいは入力操作部５を用いた入力操作によって検索施設内現時該当施設表示態様制御部３６に設定されている場合に行うようにしてもよい。
【０２２６】
（オーダーストップ間際の施設の第３の提示態様）
施設提示部２２による前記オーダーストップ間際の施設の第３の提示態様は、施設の検索結果の表示態様の制御によって、所定の時刻としての到着予想時刻を基準としたオーダーストップ間際の施設をユーザに提示する態様である。
【０２２７】
この第３の提示態様による提示を具現化するための構成として、本実施形態において、検索施設内到着時該当施設抽出部４９は、第３の検索施設内到着時該当施設抽出手段としても機能するようになっている。すなわち、検索施設内到着時該当施設抽出部４９は、ハードディスクドライブ１４に記憶された施設検索部３３によって検索された施設についての前記オーダーストップの時刻をともなう前記営業時間情報と、到着予想時刻算出部４８によって算出された到着予想時刻とに基づいて、施設検索部３３によって検索された施設の中から第３の検索施設内到着時該当施設を抽出するようになっている。ただし、前記第３の検索施設内到着時該当施設とは、施設検索部３３によって検索された施設のうちの到着予想時刻がオーダーストップまで所定時間以内のオーダーストップ前の時刻となる到着予想時刻を基準としたオーダーストップ間際の施設をいう（以下、同様）。なお、前記第３の検索施設内到着時該当施設を規定する前記所定時間は、コンセプトに応じて種々の時間を選択することができる。この所定時間は、入力操作部５を用いた画面入力によって設定可能とされていてもよい。
【０２２８】
また、本実施形態において、検索施設内到着時該当施設表示態様制御部５０は、第３の検索施設内到着時該当施設表示態様制御手段としても機能するようになっている。すなわち、検索施設内到着時該当施設表示態様制御部５０は、検索施設内到着時該当施設抽出部４９によって抽出された前記第３の検索施設内到着時該当施設についての前記施設検索結果の表示態様を、前記第３の検索施設内到着時該当施設以外の施設検索部３３によって検索された施設についての前記施設検索結果の表示態様と異ならせるように施設検索結果描画部３４を制御するようになっている。なお、前記施設検索結果の表示態様を異ならせる方法としては、図６に示したような表示方法（施設検索結果を示す項目の表示色や点滅の有無を互いに異ならせる方法）等を用いることができる。
【０２２９】
そして、第３の提示態様において、施設提示部２２は、前記到着予想時刻を基準としたオーダーストップ開始間際の施設のユーザへの提示を、施設検索結果描画部３４による検索施設内到着時該当施設表示態様制御部５０の前記制御にしたがった表示態様での前記第３の検索施設内到着時該当施設を示す前記施設検索結果の表示によって行うようになっている。
【０２３０】
ただし、本提示態様における前記オーダーストップ間際の施設の提示は、第１実施形態における前記営業開始間際の施設の第２の提示態様または第３の提示態様による提示、第２実施形態における前記タイムサービスの開始間際の施設の第２の提示態様または第３の提示態様による提示もしくは第３実施形態における前記オーダーストップ間際の施設の第２の提示態様における提示と同時に行われた場合にはユーザに混乱を招く場合もある。
【０２３１】
したがって、本提示態様における前記オーダーストップ間際の施設の提示は、到着予想時刻とオーダーストップの時刻との時間的な関係に応じた表示態様での前記施設検索結果の表示を行う旨の前記施設検索結果の表示モード（すなわち、第６の施設検索結果表示モード）がデフォルトあるいは入力操作部５を用いた入力操作によって検索施設内到着時該当施設表示態様制御部５０に設定されている場合に行うようにしてもよい。
【０２３２】
（オーダーストップ間際の施設の第４の提示態様）
施設提示部２２による前記オーダーストップ間際の施設の第４の提示態様は、到着予想時刻の表示態様の制御によって、所定の時刻としての到着予想時刻を基準としたオーダーストップ間際の施設をユーザに提示する態様である。
【０２３３】
この第４の提示態様による提示を具現化するための構成として、本実施形態において、到着予想時刻判定部５３は、第３の到着予想時刻判定手段としても機能するようになっている。すなわち、到着予想時刻判定部５３は、ハードディスクドライブ１４に記憶された前記オーダーストップの時刻をともなう前記営業時間情報に基づいて、到着予想時刻算出部４８によって算出された目的地への到着予想時刻が、到着予想時刻を基準としたオーダーストップ間際の時刻となるか否かの判定を行うようになっている。ただし、前記到着予想時刻を基準としたオーダーストップ間際の時刻とは、目的地のオーダーストップの時刻まで所定時間以内のオーダーストップ前の到着予想時刻のことをいう（以下、同様）。なお、このオーダーストップ間際の時刻を規定する前記所定時間は、コンセプトに応じて種々の時間を選択することができる。この所定時間は、入力操作部５を用いた画面入力によって設定可能とされていてもよい。
【０２３４】
さらに、本実施形態において、目的地到着予想時刻表示態様制御部５４は、第３の目的地到着予想時刻表示態様制御手段としても機能するようになっている。すなわち、目的地到着予想時刻表示態様制御部５４は、目的地到着予想時刻描画部５２によって表示される目的地への到着予想時刻の表示態様を、到着予想時刻判定部５３の判定結果が肯定的となる場合と否定的となる場合とで互いに異ならせるように目的地到着予想時刻描画部５２を制御するようになっている。
【０２３５】
そして、第４の提示態様において、施設提示部２２は、前記到着予想時刻を基準としたオーダーストップ間際の施設のユーザへの提示を、目的地到着予想時刻描画部５２による目的地到着予想時刻表示態様制御部５４の前記制御にしたがった表示態様での到着予想時刻判定部５３の判定結果が肯定的となる目的地への到着予想時刻の表示によって行うようになっている。
【０２３６】
ただし、本提示態様におけるオーダーストップ間際の施設の提示は、第１実施形態における営業開始間際の施設の第４の提示態様による提示または第２実施形態におけるタイムサービスの開始間際の施設の第４の提示態様による提示と同時に行われた場合にはユーザに混乱を招く場合もある。そこで、本提示態様におけるオーダーストップ間際の施設の提示は、到着予想時刻とオーダーストップの時刻との時間的な関係に応じた表示態様での目的地への到着予想時刻の表示を行う旨の到着予想時刻の表示モード（すなわち、第３の到着予想時刻表示モード）がデフォルトあるいは入力操作部５を用いた入力操作によって目的地到着予想時刻表示態様制御部５４に設定されている場合に行うようにしてもよい。
【０２３７】
（オーダーストップ間際の施設の第５の提示態様）
施設提示部２２による前記オーダーストップ間際の施設の第５の提示態様は、所定の時刻としての現在の時刻を基準としたオーダーストップ間際の施設を、自車両がその施設に差し掛かった場合にユーザに提示する態様である。
【０２３８】
この第５の提示態様による提示を具現化するための構成として、本実施形態において、自車周辺領域内該当施設抽出部５６は、第３の自車周辺領域内該当施設抽出手段としても機能するようになっている。すなわち、自車周辺領域内該当施設抽出部５６は、ハードディスクドライブ１４に記憶された前記オーダーストップの時刻をともなう前記営業時間情報および現在時刻取得部２４によって取得された現在の時刻に基づいて、自車位置算出部１７によって算出された自車位置の周辺の所定領域内に存在する施設の中から第３の自車周辺領域内該当施設を抽出するようになっている。ただし、前記第３の自車周辺領域内該当施設とは、当該自車位置の周辺の所定領域内に存在する施設のうちの現在の時刻がオーダーストップまで所定時間以内のオーダーストップ前の時刻となる現在の時刻を基準としたオーダーストップ間際の施設のことをいう（以下、同様）。
【０２３９】
また、本実施形態において、自車周辺領域内該当施設案内部５７は、第３の自車周辺領域内該当施設案内手段としても機能するようになっている。すなわち、自車周辺領域内該当施設案内部５７は、自車位置算出部１７によって算出された自車位置が、自車周辺領域内該当施設抽出部５６によって抽出された前記第３の自車周辺領域内該当施設の位置まで所定の距離以内の位置の場合に、前記第３の自車周辺領域内該当施設を画像および音声の少なくとも一方によってユーザに案内するようになっている。
【０２４０】
すなわち、施設提示部２２は、前記所定の時刻としての現在の時刻を基準としたオーダーストップ間際の施設のユーザへの提示を、自車周辺領域内該当施設案内部５７による前記第３の自車周辺領域内該当施設の案内によって行うようになっている。この案内は、「経路沿いにまもなくオーダーストップされる施設が見つかりました」といったメッセージを音声案内またはディスプレイ６に表示することによって行うようにしてもよい。また、この案内は、経路誘導部２１による経路誘導にともなって行うようにしてもよいし、または、経路誘導とは独立して（経路誘導の有無にかかわらず）行うようにしてもよい。
【０２４１】
以上述べたように、本実施形態によれば、前記所定の時刻としての現在の時刻または到着予想時刻を基準としたオーダーストップ間際の施設を第１〜第５の提示態様によってユーザに提示することができるので、ユーザが、当該オーダーストップ間際の施設を簡便かつ確実に把握することができる。
【０２４２】
なお、本発明は、前述した実施の形態に限定されるものではなく、必要に応じて種々の変更が可能なものである。
【符号の説明】
【０２４３】
１  車載用ナビゲーション装置
１４  ハードディスクドライブ
２２  タイムサービス施設提示部
【図１】
0005456383.tif 000002
【図２】
0005456383.tif 000003
【図３】
0005456383.tif 000004
【図４】
0005456383.tif 000005
【図５】
0005456383.tif 000006
【図６】
0005456383.tif 000007
【図７】
0005456383.tif 000008
【図８】
0005456383.tif 000009
【図９】
0005456383.tif 000010
【図１０】
0005456383.tif 000011
【図１１】
0005456383.tif 000012
【図１２】
0005456383.tif 000013
【図１３】
0005456383.tif 000014